(57)【要約】  移動端末は、動作中、複数の周波数領域のうちの指定される第１の周波数領域に位置する第１のサーチスペースセッのＰＤＣＣＨ候補をモニタし、指定される第１の周波数領域の第１のサーチスペースセットにおいて送信されたＤＣＩを受信する回路を備えている。受信されたＤＣＩは、複数の周波数領域のうちの少なくとも１つの第２の周波数領域に関連付けられている少なくとも１つの第２のサーチスペースセットにおけるいくつかの特定のＰＤＣＣＨ候補またはすべてのＰＤＣＣＨ候補のモニタを移動端末がスキップするか否かの指示を含む。受信されたＤＣＩの中の指示が、特定のＰＤＣＣＨ候補またはすべてのＰＤＣＣＨ候補のモニタをスキップすることを示していない場合にのみ、回路は、ＤＣＩを受信するために、少なくとも１つの第２の周波数領域に関連付けられている特定のＰＤＣＣＨ候補またはすべてのＰＤＣＣＨ候補を追加的にモニタする。
2021532623.tif 000002
【特許請求の範囲】
【請求項１】
複数の周波数領域に分割されるキャリア帯域幅を有するアンライセンス周波数帯における広帯域動作のためのセルが設定されている基地局を備えている無線通信システムにおいて、ダウンリンク受信またはアップリンク送信を実行するように構成されている移動端末であって、
動作中、前記複数の周波数領域のうちの指定される第１の周波数領域に位置する第１のサーチスペースセットの物理ダウンリンク制御チャネル（ＰＤＣＣＨ）候補をモニタするプロセッサと、
動作中、前記指定される第１の周波数領域の前記第１のサーチスペースセットにおいて送信されたダウンリンク制御情報（ＤＣＩ）を受信する送受信機と、
を備えており、
受信された前記ＤＣＩは、前記複数の周波数領域のうちの少なくとも１つの第２の周波数領域に関連付けられている少なくとも１つの第２のサーチスペースセットにおけるいくつかの特定のＰＤＣＣＨ候補またはすべてのＰＤＣＣＨ候補のモニタを前記移動端末がスキップするか否かの指示を含み、
受信された前記ＤＣＩの中の前記指示が、前記少なくとも１つの第２のサーチスペースセットにおける前記特定のＰＤＣＣＨ候補またはすべてのＰＤＣＣＨ候補のモニタをスキップすることを示していない場合にのみ、
前記プロセッサは、動作中、ダウンリンク受信用のリソースを割り当てているダウンリンク割当てまたはアップリンク送信用のリソースを割り当てているアップリンクグラントを含むＤＣＩを受信するために、前記少なくとも１つの第２の周波数領域に関連付けられている前記特定のＰＤＣＣＨ候補またはすべてのＰＤＣＣＨ候補を追加的にモニタする、
移動端末。
【請求項２】
前記指定される第１の周波数領域は、
同期信号および物理報知チャネルブロック（ＳＳＢ）、
セル定義同期信号および物理報知チャネルブロック（セル定義ＳＳＢ）、
無線リソース管理（ＲＲＭ）用の参照信号、
無線リンクモニタ（ＲＬＭ）用の参照信号、および
ハイブリッド自動再送要求の肯定応答（ＨＡＲＱ−ＡＣＫ）
のうちの少なくとも１つを運ぶ、
かつ／または、
前記複数の周波数領域のうちの少なくとも前記指定される第１の周波数領域は、事前定義されている帯域幅、好ましくは２０ＭＨｚ、を有する、
請求項１に記載の移動端末。
【請求項３】
前記第１のサーチスペースセットは、共通サーチスペースセットであり、オプションとして、
前記第１のサーチスペースセットは、タイプ３  ＰＤＣＣＨ共通サーチスペースセットであり、さらなるオプションとして、
前記第１のサーチスペースセットは、スロットフォーマットインジケータ（ＳＦＩ）無線ネットワーク一時識別子（ＲＮＴＩ）によってスクランブルされたＤＣＩを運ぶ、
請求項１または２に記載の移動端末。
【請求項４】
前記第１のサーチスペースセットは、前記移動端末の制御リソースセット（ＣＯＲＥＳＥＴ）に従って周波数ドメインにおいて設定されているリソースに位置しており、前記ＣＯＲＥＳＥＴは、
無線リソース制御（ＲＲＣ）シグナリング、オプションとして、
前記制御リソースセットを定義するＲＲＣ情報要素（ＩＥ）、さらなるオプションとして、
前記ＣＯＲＥＳＥＴが設定されているリソースに完全に含まれる６つのリソースブロックのグループを定義するｆｒｅｑｕｅｎｃｙＤｏｍａｉｎＲｅｓｏｕｒｃｅｓフィールドを含むＲＲＣ  ＣｏｎｔｒｏｌＲｅｓｏｕｒｃｅＳｅｔ情報要素（ＩＥ）
を介して、前記移動端末に対して定義される、
請求項１ないし３のうちのいずれか１項に記載の移動端末。
【請求項５】
前記ＣＯＲＥＳＥＴが設定されている前記リソースは、周波数ドメインにおいて、少なくとも１つの周波数領域に対応しており、オプションとして、
前記ＣＯＲＥＳＥＴが設定されている前記リソースは、周波数ドメインにおいて、ただ１つの周波数領域に対応している、
請求項４に記載の移動端末。
【請求項６】
前記第１のサーチスペースセットは、
無線リソース制御（ＲＲＣ）シグナリング、オプションとして、
ＰＤＣＣＨ候補をモニタする位置を含むサーチスペースを定義するＲＲＣ情報要素（ＩＥ）、さらなるオプションとして、
スロット内のＰＤＣＣＨモニタの対象のシンボルを定義するｍｏｎｉｔｏｒｉｎｇＳｙｍｂｏｌｓＷｉｔｈｉｎＳｌｏｔフィールドを含むＲＲＣ  ＳｅａｒｃｈＳｐａｃｅ情報要素（ＩＥ）
を介して、時間ドメインにおいて設定されているリソースに位置している、
請求項１ないし５のうちのいずれか１項に記載の移動端末。
【請求項７】
前記少なくとも１つの第２のサーチスペースセットの各々は、前記少なくとも１つの第２の周波数領域のうちの１つに関連付けられている、
請求項１ないし６のうちのいずれか１項に記載の移動端末。
【請求項８】
前記送受信機は、動作中、前記複数の周波数領域のうちの少なくとも１つ、好ましくは前記複数の周波数領域のすべて、について、複数のスロットフォーマットを前記移動端末に事前設定している設定をさらに受信する、
請求項１ないし７のうちのいずれか１項に記載の移動端末。
【請求項９】
前記設定は、
無線リソース制御（ＲＲＣ）シグナリング、オプションとして、
前記複数の周波数領域のうちの少なくとも１つ、または、好ましくは前記複数の周波数領域のすべて、について、スロットフォーマットを指定する少なくとも１つのＲＲＣ情報要素（ＩＥ）、さらなるオプションとして、
少なくとも１つのＲＲＣ  ＳｌｏｔＦｏｒｍａｔＣｏｍｂｉｎａｔｉｏｎｓ情報要素（ＩＥ）であって、前記少なくとも１つのＲＲＣ  ＳｌｏｔＦｏｒｍａｔＣｏｍｂｉｎａｔｉｏｎｓ  ＩＥの各々は、前記複数の周波数領域のそれぞれの１つについてスロットフォーマットを別個に事前設定している、前記少なくとも１つのＲＲＣ  ＳｌｏｔＦｏｒｍａｔＣｏｍｂｉｎａｔｉｏｎｓ  ＩＥ
を介して、受信される、
請求項８に記載の移動端末。
【請求項１０】
受信される前記ＤＣＩは、前記複数の周波数領域の各々について別個のスロットフォーマットインジケータ（ＳＦＩ）を含む、
請求項１ないし９のうちのいずれか１項に記載の移動端末。
【請求項１１】
受信される前記ＤＣＩは、ＤＣＩフォーマット２＿０であり、オプションとして、
受信されるＤＣＩフォーマット２＿０の前記ＤＣＩは、前記複数の周波数領域の各々に対して異なって解釈されるスロットフォーマットインジケータ（ＳＦＩ）インデックス値のシーケンスを含み、さらなるオプションとして、
前記スロットフォーマットインジケータ（ＳＦＩ）インデックス値のシーケンスの各々は、前記複数の周波数領域のそれぞれの１つについて別個に事前設定されているスロットフォーマットのセットに従って、解釈される、
請求項１ないし１０のうちのいずれか１項に記載の移動端末。
【請求項１２】
事前設定されている前記スロットフォーマットのうち、インデックスで示された１つのスロットフォーマットが、前記少なくとも１つの第２のサーチスペースセットが位置するリソースに対して非ダウンリンクシンボルを指定している場合、
前記プロセッサは、動作中、受信された前記ＤＣＩを、前記少なくとも１つの第２の周波数領域のそれぞれの１つに関連付けられている前記少なくとも１つの第２のサーチスペースセットにおけるいくつかの特定のＰＤＣＣＨ候補またはすべてのＰＤＣＣＨ候補のモニタを前記移動端末がスキップする指示を含むものとして解釈し、
好ましくは、
前記非ダウンリンクシンボルは、アップリンクシンボルまたはフレキシブルシンボルのいずれかである、
請求項１１に記載の移動端末。
【請求項１３】
前記モニタをスキップすることができる前記特定のＰＤＣＣＨ候補は、スロット内の同じシンボルまたは同じシンボルセットを時間ドメインにおいて共有するリソースに位置している、
請求項１ないし１２のうちのいずれか１項に記載の移動端末。
【請求項１４】
前記複数の周波数領域は、
異なるリッスンビフォアトーク範囲識別子、
異なる移動端末固有周波数領域識別子、
異なる制御リソースセット（ＣＯＲＥＳＥＴ）識別子、または
異なる帯域幅部分（ＢＷＰ）インデックス
を介して識別される、
請求項１ないし１３のうちのいずれか１項に記載の移動端末。
【請求項１５】
複数の周波数領域に分割されるキャリア帯域幅を有するアンライセンス周波数帯における広帯域動作のためのセルが設定されている基地局を備えている無線通信システムにおいて、移動端末がダウンリンク受信またはアップリンク送信を実行する方法であって、
前記複数の周波数領域のうちの指定される第１の周波数領域に位置する第１のサーチスペースセットの物理ダウンリンク制御チャネル（ＰＤＣＣＨ）をモニタするステップと、
前記指定される第１の周波数領域の前記第１のサーチスペースセットにおいて送信されたダウンリンク制御情報（ＤＣＩ）を受信するステップと、
を含み、
受信された前記ＤＣＩは、前記複数の周波数領域のうちの少なくとも１つの第２の周波数領域に関連付けられている少なくとも１つの第２のサーチスペースセットにおけるいくつかの特定のＰＤＣＣＨ候補またはすべてのＰＤＣＣＨ候補のモニタを前記移動端末がスキップするか否かの指示を含み、
受信された前記ＤＣＩの中の前記指示が、前記少なくとも１つの第２のサーチスペースセットにおける前記特定のＰＤＣＣＨ候補またはすべてのＰＤＣＣＨ候補のモニタをスキップすることを示していない場合にのみ、前記方法は、
ダウンリンク受信用のリソースを割り当てているダウンリンク割当てまたはアップリンク送信用のリソースを割り当てているアップリンクグラントを含むＤＣＩを受信するために、前記少なくとも１つの第２の周波数領域に関連付けられている前記特定のＰＤＣＣＨ候補またはすべてのＰＤＣＣＨ候補をモニタするステップを追加的に実行するステップ
を含む、方法。
【発明の詳細な説明】
【技術分野】
【０００１】
本開示は、無線通信システムにおいてダウンリンク受信またはアップリンク送信を実行する移動端末に関する。システムは、アンライセンス周波数帯における広帯域動作のためのセルが設定されている基地局を備えている。アンライセンス周波数帯は、複数の周波数領域に分割され、複数の周波数領域によって、移動端末の別個のダウンリンク受信および／またはアップリンク送信が可能になる。
【背景技術】
【０００２】
第３世代パートナーシッププロジェクト（３ＧＰＰ：The 3rd Generation Partnership Project）は、過去数年間にわたり、次世代セルラー技術（第５世代（５Ｇ）新無線（ＮＲ）とも呼ばれる）の技術仕様を開発している。
【０００３】
３ＧＰＰは、初期段階の検討の後、２０１７年３月にリリース１５の一部としてＮＲの仕様に関する作業項目を承認した。同じ会合において、３ＧＰＰは、非スタンドアロン（ＮＳＡ）ＮＲを２０１７年１２月までに完了させるように５Ｇのスケジュールを加速する提案に合意した（一方、スタンドアロン（ＳＡ）ＮＲは２０１８年６月までに完了させるスケジュールとなっている）。
【０００４】
ＮＳＡ（非スタンドアロン）動作では、初期アクセスおよびモビリティ処理にロングタームエボリューション（ＬＴＥ）が使用されるが、ＳＡ（スタンドアロン）バージョンは、ＬＴＥとは独立して展開することができる。２０１７年１２月に、ＮＳＡ  ＮＲ仕様が承認されて大きな節目に達したのに対し、ＳＡバージョンは２０１８年６月に完了した。
【０００５】
リリース１５の最終段階は、２０１８年１２月までに完了する後期策定（late drop）である。「後期策定」には、アーキテクチャのさらなるオプション、例えば、５Ｇ  ＮｏｄｅＢ（ｇＮＢ）をＥＰＣ（進化型パケットコア）に接続できること、および、ＮＲおよびＬＴＥをマルチコネクティビティモード（multi-connectivity mode）（ＮＲがマスタノード、ＬＴＥがセカンダリノード）で動作させること、が含まれる。
【０００６】
５Ｇ新無線（ＮＲ）の１つの目的は、高度モバイルブロードバンド（ｅＭＢＢ：enhanced mobile broadband）、超高信頼・低遅延通信（ＵＲＬＬＣ：ultra-reliable low-latency communications）、および大規模マシンタイプ通信（ｍＭＴＣ：massive machine type communication）を含む、さまざまな使用シナリオに対処する単一の技術的枠組みを提供することである。
【０００７】
例えば、ｅＭＢＢの配置シナリオには、屋内のホットスポット、密集都市部、郊外、都市部、および高速度が含まれうる。ＵＲＬＬＣの配置シナリオには、産業制御システム、モバイル健康管理（遠隔モニタリング、遠隔診断、および遠隔治療）、車両のリアルタイム制御、スマートグリッドの広域監視・制御システムが含まれうる。ｍＭＴＣには、スマートウェアラブルやセンサネットワークなど、データ伝送遅延の影響が小さい多数の装置を使用するシナリオが含まれうる。
【０００８】
ＮＲ検討項目の技術報告書の１つ（非特許文献１）に要約されているように、基本的な物理層信号波形は、直交周波数分割多重（ＯＦＤＭ：Orthogonal Frequency Division Multiplexing）に基づく。ダウンリンクおよびアップリンクの両方において、サイクリックプレフィックスを使用するＯＦＤＭ（ＣＰ−ＯＦＤＭ）をベースとする波形がサポートされる。少なくとも、４０ＧＨｚまでのｅＭＢＢのアップリンクでは、ＣＰ−ＯＦＤＭ波形の補助として、離散フーリエ変換（ＤＦＴ：Discrete Fourier Transformation）拡散ＯＦＤＭ（ＤＦＴ−Ｓ−ＯＦＤＭ）をベースとする波形もサポートされる。
【０００９】
用語「ダウンリンク」は、上位のノードから下位のノードへの通信（例えば、基地局から中継ノードへの通信、基地局からＵＥへの通信、中継ノードからＵＥへの通信など）を意味する。用語「アップリンク」は、下位のノードから上位のノードへの通信（例えば、ＵＥから中継ノードへの通信、ＵＥから基地局への通信、中継ノードから基地局への通信など）を意味する。用語「サイドリンク」は、同じレベルのノード間の通信（例えば、２つのＵＥ間の通信、２つの中継ノード間の通信、または２つの基地局間の通信）を意味する。
【先行技術文献】
【非特許文献】
【００１０】
【非特許文献１】3GPP TSG TR 38.801 v2.0.0, “Study on New Radio Access Technology; Radio Access Architecture and Interfaces”, March 2017
【非特許文献２】3GPP RP-172021
【非特許文献３】3GPP RP-141646
【非特許文献４】ETSI 301 893
【非特許文献５】3GPP TS 38.213 version V15.2.0, “NR; Physical layer procedures for control (Release 15)”
【非特許文献６】3GPP TS 38.331 in version V15.2.1, “NR; Radio Resource Control (RRC) protocol specification (Release 15)”
【非特許文献７】3GPP TS 38.211
【非特許文献８】3GPP TS 38.312
【非特許文献９】3GPP TS 38.101
【非特許文献１０】3GPP TS 38.212 in version V15.2.0, “NR; Multiplexing and channel coding (Release 15)”
【発明の概要】
【００１１】
非限定的かつ例示的な一実施形態は、アンライセンス周波数帯における広帯域動作中の移動端末のエネルギ効率を改善する。アンライセンス周波数帯における広帯域動作は、共存する無線アクセス技術のデバイス間の干渉を回避するために、リッスンビフォアトーク（Listen-Before-Talk）動作を必要とする。したがって、広帯域動作の場合、アンライセンス周波数帯全体がセルラー無線アクセス技術に継続的に利用可能であることを保証できない。
【００１２】
幸いにも、この不確実性は、このようなセルラー無線アクセス技術の基地局の動作に対しては限られた影響を及ぼすのみである。基地局は、リッスンビフォアトーク動作の結果に対して、基地局のスケジューリング決定を迅速に適応させることができる。例えば、スケジューリング決定は、ダウンリンクまたはアップリンクのデータ伝送を、アンライセンス周波数帯における複数の別個の周波数領域のうちのいくつかの周波数領域のみに制限することができる。
【００１３】
しかしながら、このようなセルラー無線アクセス技術の移動端末においては、影響が異なる。移動端末は、スケジューリング決定にかかわらず、スケジューリング決定を受信するために、常に、すべてのサーチスペースセットを（ブラインド復号によって）モニタする必要がある。周波数領域全体にわたり送信を回避するようにスケジューリングが決定された場合でも、移動端末は、設定されたサーチスペースセットを依然としてモニタする義務がある。
【００１４】
すべてのサーチスペースセットをモニタする義務から移動端末を解放する目的で、本開示は、個々のサーチスペースセットをモニタすることをスキップするか否かを示す指示を移動端末に送信することを提案する。移動端末は、モニタを行う前にこの指示を受信するため、このことは、移動端末のエネルギ効率を改善する。
【００１５】
概括的な一態様において、本明細書に開示されている技術は、複数の周波数領域に分割されるキャリア帯域幅を有するアンライセンス周波数帯における広帯域動作のためのセルが設定されている基地局を備えている無線通信システムにおいて、ダウンリンク受信またはアップリンク送信を実行する移動端末を特徴とする。
【００１６】
本移動端末は、プロセッサおよび送受信機を備えている。プロセッサは、動作中、複数の周波数領域のうちの指定される第１の周波数領域に位置する第１のサーチスペースセットの物理ダウンリンク制御チャネル（ＰＤＣＣＨ）候補をモニタする。
【００１７】
送受信機は、動作中、指定される第１の周波数領域の第１のサーチスペースセットにおいて送信されたダウンリンク制御情報（ＤＣＩ）を受信する。受信されたＤＣＩは、複数の周波数領域のうちの少なくとも１つの第２の周波数領域に関連付けられている少なくとも１つの第２のサーチスペースセットにおけるいくつかの特定のＰＤＣＣＨ候補またはすべてのＰＤＣＣＨ候補をモニタすることを移動端末がスキップするか否かの指示を含む。
【００１８】
受信されたＤＣＩの中の指示が、少なくとも１つの第２のサーチスペースセットにおける特定のＰＤＣＣＨ候補またはすべてのＰＤＣＣＨ候補をモニタすることをスキップすることを示していない場合にのみ、プロセッサは、動作中、ダウンリンク受信用のリソースを割り当てているダウンリンク割当てまたはアップリンク送信用のリソースを割り当てているアップリンクグラントを含むＤＣＩを受信するために、少なくとも１つの第２の周波数領域に関連付けられている特定のＰＤＣＣＨ候補またはすべてのＰＤＣＣＨ候補を追加的にモニタする。
【００１９】
なお、一般的な実施形態または特定の実施形態は、システム、方法、集積回路、コンピュータプログラム、記憶媒体、またはこれらの任意の選択的な組合せとして、実施できることに留意されたい。
【００２０】
開示されている実施形態のさらなる恩恵および利点は、本明細書および図面から明らかになるであろう。これらの恩恵および／または利点は、本明細書および図面のさまざまな実施形態および特徴によって個別に得ることができ、ただしこのような恩恵および／または利点の１つまたは複数を得るために、これらの特徴すべてを設ける必要はない。
【図面の簡単な説明】
【００２１】
【図１】無線通信システムにおける移動端末および基地局のブロック図。
【図２】３ＧＰＰ  ＮＲ展開シナリオにおける特定の実装形態に係る、アンライセンス周波数帯における広帯域動作のシーケンス図。
【図３】３ＧＰＰ  ＮＲ展開シナリオにおける、アンライセンス周波数帯における広帯域動作の特定の実装形態の第１の例を示す図。
【図４】３ＧＰＰ  ＮＲ展開シナリオにおける、アンライセンス周波数帯における広帯域動作の特定の実装形態の第２の例を示す図。
【図５】３ＧＰＰ  ＮＲ展開シナリオにおける、アンライセンス周波数帯における広帯域動作の特定の実装形態の第３の例を示す図。
【発明を実施するための形態】
【００２２】
３ＧＰＰ  ＮＲにおいて、アンライセンス周波数帯（ＮＲ−Ｕと称される）における動作は、例えばＬＴＥ規格の以前のバージョンから知られているメカニズムよりも大幅に改善された。この動作を標準化する過程の中で、３ＧＰＰは、このトピックに関する検討項目（すなわち非特許文献２（その全体が参照により本明細書に組み込まれている））を立ち上げた。例えば、この文書の４．１節では、ＮＲベースのライセンス補助アクセス（ＬＡＡ：Licensed Assisted Access）およびアンライセンス周波数帯におけるＮＲベースのスタンドアロンセル動作を含むさまざまなアーキテクチャシナリオが検討されている。
【００２３】
［概要］
リリース１５に定義されているように、ライセンスバンド動作における、リリース１５のすべてのＮＲ  ＵＥは、サブ６ＧＨｚ（例えば、４５０ＭＨｚ〜６ＧＨｚにおける帯域）については１００ＭＨｚ帯域幅を、ミリ波（例えば、２４．２５ＧＨｚ〜５２．６ＧＨｚにおける帯域）については４００ＭＨｚ帯域幅を、サポートすることができる。これに加えて、利用可能ないくつかの広アンライセンス周波数帯域が存在し、これらは、より高速で応答性がより高いモバイルブロードバンドを求める絶えることのない要求を満たす目的で、利用することができる。したがって、アンライセンス周波数帯における広帯域動作は、ＮＲ−Ｕの重要な構成要素の１つである。
【００２４】
このような広帯域動作を促進する目的で、周波数利用効率を改善するための２つの異なるシナリオが現在検討されており、第一にキャリアアグリゲーション（ＣＡ）であり、第二に広帯域キャリアである。キャリアアグリゲーションのシナリオでは、広帯域周波数帯の帯域幅がコンポーネントキャリアに分割され、コンポーネントキャリアは間のガードバンドによって互いに隔てられている。データの送信および／または受信のために複数のコンポーネントキャリアをアグリゲートすることができる。広帯域キャリアのシナリオでは、広帯域周波数帯は、均等なリソースのセットとして扱われる。この広帯域キャリアは、単により小さいスケジューリングオーバーヘッドを目的として、例えば制御チャネルの役割のみを果たす専用リソースを含むことができる。重要な点として、複数の異なるコンポーネントキャリアに分割することなく、個別のアグリゲーション動作なしで広帯域キャリア（全体）をデータの送信および／または受信に利用することができる。
【００２５】
［アンライセンス周波数帯における動作］
非特許文献３においてすでに考慮されているように、世界のいくつかの地域は、アンライセンス技術が、特定の規制（例えば、リッスンビフォアトーク（ＬＢＴ））を守ることを要求される。セルラー動作とさまざまなバージョンにおけるＷｉ−Ｆｉ（登録商標；以下同様）などの他の技術との間の公正な共存、さらにはセルラー事業者同士の公正な共存が必要である。ＬＢＴが規定されていない国であっても、アンライセンス周波数帯の他の利用者との干渉を最小にするように試みる規制要件が存在する。しかしながら、単に規制面において干渉を最小にするだけでは十分ではない。したがって、ＮＲベースのアンライセンスアクセス広帯域システムが、あらゆる形態のレガシーシステムに対して「良好な共存システム（good neighbor）」として動作することを保証することが極めて重要である。
【００２６】
機器がチャネルを使用する前に空きチャネル判定（ＣＣＡ：Clear Channel Assessment）を適用するためのメカニズムとして、リッスンビフォアトーク（ＬＢＴ）手順が定義されている。ＣＣＡは、チャネルが占有されているか空いているかを判定する目的で、少なくともエネルギ検出を利用して、チャネル上に他の信号が存在しているか存在していないかを判定する。例えば欧州および日本の規制は、アンライセンスバンドにおいてＬＢＴを使用することを義務付けている。ＬＢＴを介したこのキャリア検知は、規制要件とは別に、アンライセンス周波数帯を公正に共有するための１つの方法であり、したがって、ＬＢＴは、１つのグローバルな解決策枠組みの中でアンライセンス周波数帯における公正かつ友好的な運用のために不可欠な機能であると考えられる。
【００２７】
装置は、ＬＢＴに関するこの欧州の規制に従って、無線チャネルをデータ送信によって占有する前に空きチャネル判定（ＣＣＡ）を実行しなければならない。例えばエネルギ検出に基づいてチャネルが空いているとして検出された後にのみ、アンライセンスチャネルでの送信を開始することが許可される。特に、装置は、空きチャネル判定（ＣＣＡ）中に特定の最小時間（例えば欧州では２０μｓ、非特許文献４の４．８．３節を参照されたい）にわたりチャネルを監視しなければならない。
【００２８】
検出されたエネルギレベルが、設定されているＣＣＡしきい値（例えば欧州では−７３ｄＢｍ／ＭＨｚ、非特許文献４の４．８．３節を参照されたい）を超える場合、チャネルは占有されているとみなされ、逆に、検出された電力レベルが、設定されているＣＣＡしきい値より低い場合、チャネルは空いているとみなされる。チャネルが占有されていると判定された場合、次の固定フレーム期間（Fixed Frame Period）の間、装置はそのチャネルで送信しない。チャネルが空いているとして分類された場合、装置はただちに送信することが許可される。同じ帯域で動作する他の装置との公正なリソース共有を促進する目的で、最大送信持続時間が制限される。
【００２９】
［ＮＲ−Ｕにおけるリッスンビフォアトークに関するＲＡＮ１＃９２ｂｉｓ合意］
リッスンビフォアトーク（ＬＢＴ）動作の効果的な実施を保証するため、ＮＲベースのアンライセンスアクセス広帯域システムを対象に、特定の制限が合意されている。検討の基準として、ＮＲ−Ｕが動作する帯域（サブ７ＧＨｚ）において、Ｗｉ−Ｆｉが存在しないことを（例えば規制によって）保証することができない場合、ＮＲ−Ｕ動作帯域幅は、２０ＭＨｚの整数倍であることが合意されている。少なくとも、Ｗｉ−Ｆｉが存在しないことを（例えば規制によって）保証できない帯域においては、２０ＭＨｚ単位でＬＢＴを実行することができる。しかしながら、２０ＭＨｚより大きい（すなわち２０ＭＨｚの整数倍の）帯域幅のシングルキャリアに対してＬＢＴをどのように実行するかの詳細は、今後の検討に委ねられている。
【００３０】
［本開示］
本開示は、上記を考慮し、ＮＲ−Ｕにおける広帯域動作をさらに改善できるという認識のもとに着想した。特に、リッスンビフォアトーク動作を２０ＭＨｚ単位に制限する合意の結果として、ＮＲアンライセンス周波数帯の動作帯域幅が２０ＭＨｚの整数倍であり、アンライセンス周波数帯を利用するうえでの柔軟性が低下する。
【００３１】
本開示は、例えば、空きチャネル判定（ＣＣＡ）においてただ１回または２回のリッスンビフォアトーク動作がそれぞれの２０ＭＨｚ単位において失敗したシナリオを考える。この場合、「良好な共存システム」基準は、ＮＲベースのアンライセンスアクセス広帯域システムが、少なくともＬＢＴに失敗した２０ＭＨｚ単位では送信が行われないことを保証することを必要とする。しかしながら、このような送信が存在しないことは、ＵＥ（「移動端末」とも称する）にはただちに認識されず、ＵＥは、その帯域に位置するリソースでのシグナリングを予期するように設定されている可能性がある。
【００３２】
より詳細には、ＮＲ−Ｕシステム設計は、ｇＮＢ（「ｇＮｏｄｅＢ」または「基地局」とも称される）が、少なくともダウンリンクについて「良好な共存システム」基準を保証する役割を担う。この点において、少なくとも、ＰＤＣＣＨを介したダウンリンク制御情報の送信およびＰＤＳＣＨを介したダウンリンクユーザデータの送信の場合に、リッスンビフォアトーク動作を実行するのはｇＮＢである。ｇＮＢは、空きチャネル判定（ＣＣＡ）において失敗を検出した時点で、それに応じてそれぞれの２０ＭＨｚ単位を回避するようにＰＤＣＣＨおよびＰＤＳＣＨを準備することができる。しかしながら、これは、厳しい処理要件をｇＮＢに課しうる。
【００３３】
ＰＤＣＣＨおよびＰＤＳＣＨの処理タイムラインを緩和するために、ｇＮＢは、ＬＢＴの結果を知る前にＰＤＣＣＨおよびＰＤＳＣＨを準備することができる。この場合、ＬＢＴの結果に応じて、いくつかの準備されたＰＤＣＣＨおよびＰＤＳＣＨがドロップされる（例えば、パンクチャリングされる）。
【００３４】
しかしながら、ＵＥは、それぞれの２０ＭＨｚ単位に位置するリソース上にスケジューリングが存在しなくても、設定された制御情報をモニタする義務から解放されるわけではない。特に、それぞれの２０ＭＨｚ単位に送信が存在するかまたは存在しないか（すなわちパンクチャリングによる）にかかわらず、ＵＥは依然として、それぞれの２０ＭＨｚ単位に位置するリソースに関連付けられているサーチスペースセット（「ＳＳｓ」とも称する）において物理ダウンリンク制御チャネル（ＰＤＣＣＨ）候補をモニタする。
【００３５】
このようなモニタ要件は、ＮＲにおけるサーチスペースセットの仕様に由来する。
【００３６】
サーチスペースセットは、ＮＲでは、ウェブサイト３ｇｐｐ．ｏｒｇに２０１８年６月に公開された非特許文献５（その全体が参照により本明細書に組み込まれている）を通じて定義されている。特に、その１０節「UE procedures for receiving control information」およびその１１．１節「UE procedure for determining slot format」を参照されたい。
【００３７】
これらの節には、ＵＥが、対応するサーチスペースセットに従ってのＰＤＣＣＨのモニタが設定されているアクティブな各サービングセルにおけるアクティブなダウンリンク帯域幅部分（ＢＷＰ）での１つまたは複数の制御リソースセット（ＣＯＲＥＳＥＴ）において、ＰＤＣＣＨ候補のセットをモニタすることが規定されており、ここで、モニタは、モニタされるＤＣＩフォーマットに従って各ＰＤＣＣＨ候補を復号することを意味する。
【００３８】
（上に引用した）非特許文献５の１０．１節「UE procedure for determining physical downlink control channel assignment」では、制御リソースセットは以下のように定義されている。すなわち、サービングセル内のＵＥに設定されている各ダウンリンク帯域幅部分（ＤＬ  ＢＷＰ）を対象に、上位層シグナリングによってＵＥに制御リソースセット（ＣＯＲＥＳＥＴ）を提供することができる。各制御リソースセット（ＣＯＲＥＳＥＴ）に対して、上位層パラメータＣｏｎｔｒｏｌＲｅｓｏｕｒｃｅＳｅｔによってＵＥに以下が提供される。
−上位層パラメータｃｏｎｔｒｏｌＲｅｓｏｕｒｃｅＳｅｔＩｄによる、制御リソースセットインデックスｐ（０≦ｐ＜１２）
−上位層パラメータｐｄｃｃｈ−ＤＭＲＳ−ＳｃｒａｍｂｌｉｎｇＩＤによる、ＤＭ−ＲＳスクランブリング系列初期化値
−上位層パラメータｐｒｅｃｏｄｅｒＧｒａｎｕｌａｒｉｔｙによる、周波数ドメインにおける複数のＲＥＧに対するプリコーダ粒度（ＵＥは同じＤＭ−ＲＳプリコーダの使用を想定することができる）
−上位層パラメータｄｕｒａｔｉｏｎによって提供される、連続するシンボルの数
−上位層パラメータｆｒｅｑｕｅｎｃｙＤｏｍａｉｎＲｅｓｏｕｒｃｅｓによって提供される、リソースブロックのセット
−上位層パラメータｃｃｅ−ＲＥＧ−ＭａｐｐｉｎｇＴｙｐｅによって提供される、ＣＣＥ−ＲＥＧマッピングパラメータ
−ＰＤＣＣＨ受信のためのＤＭ−ＲＳアンテナポートの疑似コロケーション情報を示す、上位層パラメータＴＣＩ−ＳｔａｔｅｓＰＤＣＣＨによって提供される、アンテナポート疑似コロケーションのセットからのアンテナポート疑似コロケーション
−上位層パラメータＴＣＩ−ＰｒｅｓｅｎｔＩｎＤＣＩによる、制御リソースセットｐにおいてＰＤＣＣＨによって送信されるＤＣＩフォーマット１＿１の送信設定指示（ＴＣＩ）フィールドの有無の指示
【００３９】
この定義は、ウェブサイト３ｇｐｐ．ｏｒｇに２０１８年６月に公開された非特許文献６（その全体が参照により本明細書に組み込まれている）に開示されている定義と同等である。特に、その６．３．２節「Radio resource control information element」を参照されたい。この節は、制御リソースセット（ＣＯＲＥＳＥＴ）情報要素（「ＣｏｎｔｒｏｌＲｅｓｏｕｒｃｅＳｅｔ  ＩＥ」とも称される）を定義している。
【００４０】
重要な点として、ＣｏｎｔｒｏｌＲｅｓｏｕｒｃｅＳｅｔ  ＩＥは、ＣＯＲＥＳＥＴの周波数ドメインリソースを指定するパラメータｆｒｅｑｕｅｎｃｙＤｏｍａｉｎＲｅｓｏｕｒｃｅｓを含む。各ビットは、６つのリソースブロック（ＲＢ）のグループに対応し、このグループ化はＰＲＢ０から始まり、ＰＲＢ０は、ＣＯＲＥＳＥＴが設定されている帯域幅部分に完全に含まれる。
【００４１】
最上位ビットは、ＣＯＲＥＳＥＴが設定されている帯域幅部分に完全に含まれる最も低い周波数のグループに対応し、最上位ビットに続く各下位ビットは、ＣＯＲＥＳＥＴが設定されている帯域幅部分に完全に含まれる次に低い周波数グループ（存在する場合）に対応する。
【００４２】
ＣＯＲＥＳＥＴが設定されている帯域幅部分に完全には含まれないグループに対応するビットは、０に設定される。Ｌ１パラメータ「ＣＯＲＥＳＥＴ−ｆｒｅｑ−ｄｏｍ」に対応する（非特許文献７の７．３．２．２節を参照されたい）。
【００４３】
これに加えて、ＰＤＣＣＨ候補のモニタは、対応するサーチスペースセットに従うように定義されている。サーチスペースセットは、共通サーチスペースセットまたはＵＥ固有サーチスペースセットとすることができる。ＵＥは、以下のサーチスペースセットのうちの１つまたは複数においてＰＤＣＣＨ候補をモニタする。
−プライマリセルでＳＩ−ＲＮＴＩによってスクランブルされたＣＲＣを含むＤＣＩフォーマットのための、ＭａｓｔｅｒＩｎｆｏｒｍａｔｉｏｎＢｌｏｃｋの中のｓｅａｒｃｈＳｐａｃｅＺｅｒｏまたはＰＤＣＣＨ−ＣｏｎｆｉｇＣｏｍｍｏｎの中のｓｅａｒｃｈＳｐａｃｅＳＩＢ１によって設定されたタイプ０−ＰＤＣＣＨ共通サーチスペースセット
−プライマリセルでＳＩ−ＲＮＴＩによってスクランブルされたＣＲＣを含むＤＣＩフォーマットのための、ＰＤＣＣＨ−ＣｏｎｆｉｇＣｏｍｍｏｎの中のｓｅａｒｃｈＳｐａｃｅ−ＯＳＩによって設定されたタイプ０Ａ−ＰＤＣＣＨ共通サーチスペースセット
−プライマリセルでＲＡ−ＲＮＴＩまたはＴＣ−ＲＮＴＩによってスクランブルされたＣＲＣを含むＤＣＩフォーマットのための、ＰＤＣＣＨ−ＣｏｎｆｉｇＣｏｍｍｏｎの中のｒａ−ＳｅａｒｃｈＳｐａｃｅによって設定されたタイプ１−ＰＤＣＣＨ共通サーチスペースセット
−プライマリセルでＣＲＣがＰ−ＲＮＴＩによってスクランブルされたＤＣＩフォーマットのための、ＰＤＣＣＨ−ＣｏｎｆｉｇＣｏｍｍｏｎの中のｐａｇｉｎｇＳｅａｒｃｈＳｐａｃｅによって設定されたタイプ２−ＰＤＣＣＨ共通サーチスペースセット
−ＩＮＴ−ＲＮＴＩ、またはＳＦＩ−ＲＮＴＩ、またはＴＰＣ−ＰＵＳＣＨ−ＲＮＴＩ、またはＴＰＣ−ＰＵＣＣＨ−ＲＮＴＩ、またはＴＰＣ−ＳＲＳ−ＲＮＴＩによってスクランブルされたＣＲＣを含むＤＣＩフォーマットのための、また、プライマリセルの場合のみＣ−ＲＮＴＩ、またはＣＳ−ＲＮＴＩによってスクランブルされたＣＲＣを含むＤＣＩフォーマットのための、ｓｅａｒｃｈＳｐａｃｅＴｙｐｅ＝ｃｏｍｍｏｎであるＰＤＣＣＨ−Ｃｏｎｆｉｇの中のＳｅａｒｃｈＳｐａｃｅによって設定されたタイプ３−ＰＤＣＣＨ共通サーチスペースセット
−Ｃ−ＲＮＴＩまたはＣＳ−ＲＮＴＩによってスクランブルされたＣＲＣを含むＤＣＩフォーマットのための、ｓｅａｒｃｈＳｐａｃｅＴｙｐｅ＝ｕｅ−ＳｐｅｃｉｆｉｃであるＰＤＣＣＨ−Ｃｏｎｆｉｇの中のＳｅａｒｃｈＳｐａｃｅによって設定されたＵＥ固有サーチスペースセット
【００４４】
特に、（上に引用した）非特許文献５の１０．１節「UE procedure for determining physical downlink control channel assignment」には、ＵＥにおけるサーチスペースセットを設定するための以下のメカニズムが規定されている。
【００４５】
サービングセル内のＵＥに設定されている各ダウンリンク帯域幅部分（ＤＬ  ＢＷＰ）を対象に、Ｓ（≦１０）個のサーチスペースセットが上位層によってＵＥに提供され、この場合、Ｓ個のサーチスペースセットの各サーチスペースセットに対して、上位層パラメータＳｅａｒｃｈＳｐａｃｅによってＵＥに以下が提供される。
−上位層パラメータｓｅａｒｃｈＳｐａｃｅＩｄによる、サーチスペースセットインデックスｓ（０≦ｓ＜４０）
−上位層パラメータｃｏｎｔｒｏｌＲｅｓｏｕｒｃｅＳｅｔＩｄによる、サーチスペースセットｓと制御リソースセットｐとの間の関連付け
−上位層パラメータｍｏｎｉｔｏｒｉｎｇＳｌｏｔＰｅｒｉｏｄｉｃｉｔｙＡｎｄＯｆｆｓｅｔによる、ＰＤＣＣＨモニタ周期であるｋｐ，ｓ個のスロットおよびＰＤＣＣＨモニタオフセットであるｏｐ，ｓ個のスロット
−上位層パラメータｍｏｎｉｔｏｒｉｎｇＳｙｍｂｏｌｓＷｉｔｈｉｎＳｌｏｔによる、スロット内のＰＤＣＣＨモニタパターン（ＰＤＣＣＨをモニタする対象のスロット内の制御リソースセットの最初の（１個または複数の）シンボルを示す）
−それぞれＣＣＥ集約レベル１、ＣＣＥ集約レベル２、ＣＣＥ集約レベル４、ＣＣＥ集約レベル８、ＣＣＥ集約レベル１６の場合の、上位層パラメータａｇｇｒｅｇａｔｉｏｎＬｅｖｅｌ１、ａｇｇｒｅｇａｔｉｏｎＬｅｖｅｌ２、ａｇｇｒｅｇａｔｉｏｎＬｅｖｅｌ４、ａｇｇｒｅｇａｔｉｏｎＬｅｖｅｌ８、およびａｇｇｒｅｇａｔｉｏｎＬｅｖｅｌ１６による、ＣＣＥ集約レベルＬあたりのＰＤＣＣＨ候補の数
【数１】
2021532623.tif 000003
−上位層パラメータｓｅａｒｃｈＳｐａｃｅＴｙｐｅによる、サーチスペースセットｓが共通サーチスペースセットであるかＵＥ固有サーチスペースセットであるかの指示
−サーチスペースセットｓが共通サーチスペースセットである場合、
−上位層パラメータｄｃｉ−Ｆｏｒｍａｔ０−０−ＡｎｄＦｏｒｍａｔ１−０による、Ｃ−ＲＮＴＩまたはＣＳ−ＲＮＴＩ（設定されている場合）、ＲＡ−ＲＮＴＩ、ＴＣ−ＲＮＴＩ、Ｐ−ＲＮＴＩ、ＳＩ−ＲＮＴＩによってスクランブルされたＣＲＣを含むＤＣＩフォーマット０＿０およびＤＣＩフォーマット１＿０を対象に、ＰＤＣＣＨ候補をモニタする指示
−上位層パラメータｄｃｉ−Ｆｏｒｍａｔ２−０による、ＤＣＩフォーマット２＿０および対応するＣＣＥ集約レベルを対象に、１つまたは２つのＰＤＣＣＨ候補をモニタする指示
−上位層パラメータｄｃｉ−Ｆｏｒｍａｔ２−１による、ＤＣＩフォーマット２＿１を対象に、ＰＤＣＣＨ候補をモニタする指示
−上位層パラメータｄｃｉ−Ｆｏｒｍａｔ２−２による、ＤＣＩフォーマット２＿２を対象に、ＰＤＣＣＨ候補をモニタする指示
−上位層パラメータｄｃｉ−Ｆｏｒｍａｔ２−３による、ＤＣＩフォーマット２＿３を対象に、ＰＤＣＣＨ候補をモニタする指示
−サーチスペースセットがＵＥ固有サーチスペースセットである場合、上位層パラメータｄｃｉ−Ｆｏｒｍａｔｓによる、ＤＣＩフォーマット０＿０およびＤＣＩフォーマット１＿０、または、ＤＣＩフォーマット０＿１およびＤＣＩフォーマット１＿１のいずれかを対象に、ＰＤＣＣＨ候補をモニタする指示
【００４６】
この定義は、（上に引用した）技術仕様である非特許文献６の６．３．２節「Radio resource control information element」に開示されている定義と同等であり、この節は、サーチスペース情報要素（「ＳｅａｒｃｈＳｐａｃｅ  ＩＥ」と称する）を定義している。
【００４７】
参照を容易にするため、「ＳｅａｒｃｈＳｐａｃｅ  ＩＥ」は、そのＳｅａｒｃｈＳｐａｃｅに適用可能なＣＯＲＥＳＥＴを定義する「ｃｏｎｔｒｏｌＲｅｓｏｕｒｃｅＳｅｔＩｄ」と称されるフィールドを含むことを強調しておく。値０は、ＭＩＢ（マスタ情報ブロック）において設定される共通ＣＯＲＥＳＥＴを識別し、ＳｅｒｖｉｎｇＣｅｌｌＣｏｎｆｉｇＣｏｍｍｏｎにおいて値１〜値ｍａｘＮｒｏｆＣｏｎｔｒｏｌＲｅｓｏｕｒｃｅＳｅｔｓ−１は、専用シグナリングによって設定されるＣＯＲＥＳＥＴを識別する。
【００４８】
重要な点として、「ＳｅａｒｃｈＳｐａｃｅ  ＩＥ」は、ＰＤＣＣＨをモニタするように設定されるスロット（ｍｏｎｉｔｏｒｉｎｇＳｌｏｔＰｅｒｉｏｄｉｃｉｔｙＡｎｄＯｆｆｓｅｔを参照されたい）の中の、ＰＤＣＣＨモニタの対象のシンボルを定義する「ｍｏｎｉｔｏｒｉｎｇＳｙｍｂｏｌｓＷｉｔｈｉｎＳｌｏｔ」と称されるフィールドも含む。
【００４９】
最上位（左側）ビットは、スロット内の最初のＯＦＤＭシンボルを表す。最下位（右側）ビットは、最後のシンボルを表す。Ｌ１パラメータ「Ｍｏｎｉｔｏｒｉｎｇ−ｓｙｍｂｏｌｓ−ＰＤＣＣＨ−ｗｉｔｈｉｎ−ｓｌｏｔ」に対応する（上に引用した非特許文献５の１０節を参照されたい）。
【００５０】
言い換えれば、各サーチスペースセットは、周波数ドメインにおいては、「ｆｒｅｑｕｅｎｃｙＤｏｍａｉｎＲｅｓｏｕｒｃｅｓ」によって「ｃｏｎｔｒｏｌＲｅｓｏｕｒｃｅＳｅｔＩｄ」への参照を通じて定義されるのに対し、時間ドメインにおいては、各サーチスペースセットは、「ｍｏｎｉｔｏｒｉｎｇＳｙｍｂｏｌｓＷｉｔｈｉｎＳｌｏｔ」によって指定されるシンボルから始まり、フィールド「ｄｕｒａｔｉｏｎ」において「ｃｏｎｔｒｏｌＲｅｓｏｕｒｃｅＳｅｔＩｄ」への参照を通じて指定されるシンボル持続時間にわたるように、定義される。
【００５１】
これに関連して、非特許文献８の１１．１．１節「UE procedure for determining slot format」をさらに参照すると、この節には以下が開示されている。
【００５２】
１つまたは複数のサービングセル内のＵＥには、非特許文献８の１０．１節に記載されているように、ＣＣＥ集約レベルＬＳＦＩ  ＣＣＥのＤＣＩフォーマット２＿０を対象に、
【数２】
2021532623.tif 000004
個のＰＤＣＣＨ候補をモニタするための、サーチスペースセットｓおよび対応する制御リソースセットｐの設定も提供される。
【数３】
2021532623.tif 000005
個のＰＤＣＣＨ候補は、制御リソースセットｐにおけるサーチスペースセットｓのＣＣＥ集約レベルＬＳＦＩの最初の
【数４】
2021532623.tif 000006
個のＰＤＣＣＨ候補である。
【００５３】
サービングセルのセット内の各サービングセルについて、ＵＥに以下を提供することができる。
−上位層パラメータｓｅｒｖｉｎｇＣｅｌｌＩｄによる、サービングセルの識別情報
−上位層パラメータｐｏｓｉｔｉｏｎＩｎＤＣＩによる、ＤＣＩフォーマット２＿０の中のＳＦＩ−ｉｎｄｅｘ（ＳＦＩインデックス）フィールドの位置
−上位層パラメータｓｌｏｔＦｏｒｍａｔＣｏｍｂｉｎａｔｉｏｎｓによる、スロットフォーマットコンビネーションのセット。スロットフォーマットコンビネーションのセットの中の各スロットフォーマットコンビネーションは、以下を含む。
−それぞれの上位層パラメータｓｌｏｔＦｏｒｍａｔｓによって示される、スロットフォーマットコンビネーションの１つまたは複数のスロットフォーマット、および、
−ｓｌｏｔＦｏｒｍａｔｓによって提供されるスロットフォーマットコンビネーションとＤＣＩフォーマット２＿０の中の対応するＳＦＩ−ｉｎｄｅｘ（ＳＦＩインデックス）フィールド値との、上位層パラメータｓｌｏｔＦｏｒｍａｔＣｏｍｂｉｎａｔｉｏｎＩｄによって提供されるマッピング
−ペアでない周波数帯動作（unpaired spectrum operation）の場合、上位層パラメータｓｕｂｃａｒｒｉｅｒＳｐａｃｉｎｇによる基準サブキャリア間隔μＳＦＩ、および、サービングセルに対して補足的なアップリンクキャリアが設定されるときの、上位層パラメータｓｕｂｃａｒｒｉｅｒＳｐａｃｉｎｇ２による、その補足的なアップリンクキャリアの基準サブキャリア間隔μＳＦＩ，ＳＵＬ
−ペアである周波数帯動作（paired spectrum operation）の場合、上位層パラメータｓｕｂｃａｒｒｉｅｒＳｐａｃｉｎｇによる、ＤＬ  ＢＷＰの基準サブキャリア間隔μＳＦＩ，ＤＬ、および、上位層パラメータｓｕｂｃａｒｒｉｅｒＳｐａｃｉｎｇ２による、ＵＬ  ＢＷＰの基準サブキャリア間隔μＳＦＩ，ＵＬ
【００５４】
重要な点として、上位層パラメータｓｌｏｔＦｏｒｍａｔＣｏｍｂｉｎａｔｉｏｎｓは、（上に引用した）非特許文献６では、スロットフォーマットコンビネーションを含むリストとして定義されている。各スロットフォーマットコンビネーションは、１つまたは複数のスロットフォーマットを含む（非特許文献７の４．３．２節を参照されたい）。スロットフォーマットコンビネーションのリストの中のスロットフォーマットの総数は、５１２を超えない。
【００５５】
これに関連して、ウェブサイト３ｇｐｐ．ｏｒｇに２０１８年６月に公開された技術仕様である非特許文献７（その全体が参照により本明細書に組み込まれている）を参照する。
【００５６】
この文書の４．３．２節は、サブキャリア間隔設定μの場合に、スロットは、サブフレーム内で昇順に番号付けされ（
【数５】
2021532623.tif 000007
）、かつ、フレーム内で昇順に番号付けされる（
【数６】
2021532623.tif 000008
）ことを開示している。スロットには、
【数７】
2021532623.tif 000009
個の連続するＯＦＤＭシンボルが存在し、
【数８】
2021532623.tif 000010
は、表４．３．２−１および表４．３．２−２によって与えられるようにサイクリックプレフィックスによって異なる。サブフレーム内のスロット
【数９】
2021532623.tif 000011
の先頭は、同じサブフレーム内のＯＦＤＭシンボル
【数１０】
2021532623.tif 000012
の先頭と時間的に整列している。
【００５７】
スロット内のＯＦＤＭシンボルは、「ダウンリンク」シンボル、「フレキシブル（flexible）」シンボル、または「アップリンク」シンボルとして分類することができる。スロットフォーマットのシグナリングは、非特許文献５の１１．１節に記載されている。ダウンリンクフレーム内のスロットでは、ＵＥは、ダウンリンク送信が「ダウンリンク」シンボルまたは「フレキシブル」シンボルのみにおいて行われると想定する。アップリンクフレーム内のスロットでは、ＵＥは、「アップリンク」シンボルまたは「フレキシブル」シンボルのみにおいて送信する。全二重通信に対応していないＵＥは、同じセル内で最後に受信されたダウンリンクシンボルの終了からＮＲｘ−ＴｘＴｃが経過するまではアップリンクで送信しないように予期される（ＮＲｘ−Ｔｘは非特許文献９によって与えられる）。
【００５８】
さまざまなダウンリンク制御情報（ＤＣＩ）フォーマットの仕様については、ウェブサイト３ｇｐｐ．ｏｒｇに２０１８年６月に公開された技術仕様である非特許文献１０（その全体が参照により本明細書に組み込まれている）を参照する。特に７．３節「Downlink control information」を参照すると、この節では７．３．１．３．１節にＤＣＩフォーマット２＿０が定義されている。
【００５９】
この７．３．１．３．１節には、ＤＣＩフォーマット２＿０は、スロットフォーマットを通知するために使用されることが開示されている。ＳＦＩ−ＲＮＴＩによってスクランブルされたＣＲＣを含むＤＣＩフォーマット２＿０によって、以下の情報が送信される。
−スロットフォーマットインジケータ１、スロットフォーマットインジケータ２、．．．、スロットフォーマットインジケータＮ
【００６０】
ＤＣＩフォーマット２＿０のサイズは、（上に引用した）非特許文献５の１１．１．１節によれば、上位層によって最大１２８ビットまで設定可能である。
【００６１】
［本開示の利点］
本開示の文脈では、例えば、１つまたは複数の２０ＭＨｚ単位に対する空きチャネル判定（ＣＣＡ）を伴うリッスンビフォアトーク動作に失敗した状況下において、サーチスペースセットのモニタを省略できることが認識される。特に、サーチスペースセットが、それぞれの２０ＭＨｚ単位に位置するリソース上のスケジューリングに関連付けられている場合、そのサーチスペースセットをモニタする必要性からＵＥを解放することができる。
【００６２】
この目的のため、本開示は、ＵＥが個々のサーチスペースのモニタをスキップできることをｇＮＢがＵＥに示す指示を導入する。この指示は、それぞれのサーチスペースセットの設定に影響せず、これは有利である。言い換えれば、提供される指示は、一時的な影響（例えば、空きチャネル判定（ＣＣＡ）の失敗）に関連する。この理由から、この点においてサーチスペースの設定を適応させる必要はなく、また適切でもない。
【００６３】
本開示は、ＵＥにおけるエネルギ消費を減らすメカニズムを提供し、これは有利である。
【００６４】
上にすでに説明しているように、「良好な共存システム」基準は、ｇＮＢが、空きチャネル判定（ＣＣＡ）に失敗したリソースにおける送信のスケジューリングを回避することを必要とする。このようなスケジューリングが存在しないときには、ＵＥは、ダウンリンク送信を予測することもアップリンク送信を実行することもない。言い換えれば、このようなスケジューリングが存在しないことは、「良好な共存システム」基準を満たして特定の規制（例えば、リッスンビフォアトーク（ＬＢＴ））を守るのに十分である。
【００６５】
重要な点として、本開示はさらに一歩進める。本開示のメカニズムは、ＵＥが個々のサーチスペースセットのモニタをスキップできることを、ｇＮＢからＵＥに送信される指示を介して追加的にＵＥに伝える。例えば、ｇＮＢは、空きチャネル判定（ＣＣＡ）に失敗したことにより、ＵＥがこのような個々のサーチスペースセットをモニタする必要がないことをすでに認識している。個々のサーチスペースセットのモニタが行われないことで、ＵＥにおけるエネルギ消費をさらに減らすことができる。
【００６６】
［概括的なシナリオ］
図１は、移動端末１１０（ユーザ機器（ＵＥ）とも称する）および基地局１６０（ｇＮｏｄｅＢ（ｇＮＢ）とも称する）を含む無線通信システムのブロック図を示している。移動端末１１０は、プロセッサ１３０および送受信機１２０を備えており、これらは、この図において別個の構成ブロックとして示されている。同様に、基地局１６０は、プロセッサ１３０および送受信機１２０を備えており、これらは、この図において別個の構成ブロックとして示されている。このブロック図は、図２に描かれているメカニズム（すなわち、個々のサーチスペースセットのモニタをスキップすることができる概括的なシナリオ）を説明するために使用される。
【００６７】
特に、このブロック図の無線通信システムは、アンライセンス周波数帯における広帯域動作のためのセルが設定されている基地局１６０を含む。設定されているセルは、複数の周波数領域（例えば、図３〜図５において周波数領域＃１〜周波数領域＃４と記載されている４つの周波数領域）に分割されるキャリア帯域幅を有する。
【００６８】
本開示の文脈においては、広帯域動作のためのセルは、例えば１００ＭＨｚまたは２００ＭＨｚのキャリア帯域幅を有することができるものと一般に理解される。しかしながら、このキャリア帯域幅は、セルが設定されているアンライセンス周波数帯に依存する。言い換えれば、セルのキャリア帯域幅は、アンライセンス周波数帯の中でのみ運用される。
【００６９】
このようにセルがアンライセンス周波数帯に設定されている理由で、基地局１６０は、「良好な共存システム」基準が満たされることを保証する目的で、特定の規制（例えば、リッスンビフォアトーク要件）を守る必要がある。したがって、基地局１６０は、物理ダウンリンク制御チャネル（ＰＤＣＣＨ）を介したＵＥのスケジューリングを含めて、いかなる送信を実行する前にも、リッスンビフォアトーク動作、具体的には空きチャネル判定（ＣＣＡ）を実行する（図２のステップＳ０４を参照されたい）。
【００７０】
現在、３ＧＰＰ  ＲＡＮ１＃９２ｂｉｓにおける（最も直近の）合意では、リッスンビフォアトーク動作は、２０ＭＨｚ単位で（例えば、広帯域動作におけるセルのキャリア帯域幅の一部に対して）実行されることが規定されている。この合意は、利点を有するが、セルが設定されている基地局１６０の広帯域動作について欠点も有する。
【００７１】
一般的には、リッスンビフォアトーク動作は、別個の狭い２０ＭＨｚ単位で実行することが有利である。このような別個のリッスンビフォアトーク動作の場合、高い粒度で空きチャネル判定（ＣＣＡ）を実施することが可能である。この高い粒度は、２０ＭＨという狭い単位の直接的な結果である。このような別個のリッスンビフォアトーク動作は、例えばいくつかの狭い２０ＭＨｚ単位においては空きチャネル判定の成功をもたらし、いくつかの他の狭い２０ＭＨｚ単位においては空きチャネル判定の失敗をもたらすことがある。
【００７２】
空きチャネル判定のこの高い粒度の理由で、基地局１６０は、狭い２０ＭＨｚ単位のうち、空きチャネル判定に成功した２０ＭＨｚ単位のみに、基地局１６０の送信を制限することができる。基地局は、１つの２０ＭＨｚ単位において空きチャネル判定に失敗した場合でも、もはやキャリア帯域幅全体において送信を中断する必要はない。
【００７３】
同時に、別個の狭い２０ＭＨｚ単位でリッスンビフォアトーク動作を実行することには不利で（も）ある。これら狭い２０ＭＨｚ単位は、移動端末のダウンリンク受信またはアップリンク送信のスケジューリングに対する実質的な制限を課す。特に、これらの制限は、例えば物理ダウンリンク制御チャネル（ＰＤＣＣＨ）を送信できる位置を狭める。例えば、基地局は、もはや以前のように柔軟にＰＤＣＣＨを設定することができない。
【００７４】
説明を目的として、１つのＰＤＣＣＨが、複数の狭い２０ＭＨｚ単位に位置するリソースにまたがると仮定する。この場合、これら複数の狭い２０ＭＨｚ単位のたとえ１つでも空きチャネル判定に失敗すれば、それによって、基地局１６０は、ＰＤＣＣＨ全体の送信を中断せざるを得ない。現在のところ、３ＧＰＰ  ＮＲは、１つのＰＤＣＣＨの一部を省くことを許可していない。
【００７５】
したがって、通常に考えれば、ＰＤＣＣＨ、より具体的にはサーチスペースセットのＰＤＣＣＨ候補を、このような１つの２０ＭＨｚ単位に位置するリソースのみに制限することが適切であるように思われる。しかしながら、サーチスペースセット（したがって、そのＰＤＣＣＨ候補）を位置させることができるリソースに対して、このような狭い帯域幅の制限を課すことを妨げる他の制約も存在しうる。
【００７６】
したがって、本開示の文脈においては、サーチスペースセットの（すなわち少なくとも第１のサーチスペースセットの）ＰＤＣＣＨ候補は、必ずしも狭い２０ＭＨｚ単位ではなく、指定される第１の周波数領域（呼びやすいように周波数領域＃１と称する）に位置している必要がある。指定される第１の周波数領域は、２０ＭＨｚの整数倍に相当することもできる。
【００７７】
指定される第１の周波数領域は、広帯域動作におけるセルのキャリア帯域幅が分割されている複数の周波数領域のうちの１つである。そして、複数の周波数領域すべてが狭い２０ＭＨｚ単位のみに制限されるようには理解されないものとする。
【００７８】
例示のみを目的として、以下では、基地局１６０によって実行される空きチャネル判定（ＣＣＡ）が、第１の周波数領域（周波数領域＃１）および第３の周波数領域（周波数領域＃３）に対しては成功し、第２の周波数領域（周波数領域＃２）および第４の周波数領域（周波数領域＃４）に対しては失敗すると仮定する。図３〜図５において、失敗は星の絵文字によって示されている。
【００７９】
基地局１６０は、専用の第１の周波数帯域に対して実行した空きチャネル判定に成功すると、ダウンリンク制御情報（ＤＣＩ）（後述する）を、指定される第１の周波数領域における第１のサーチスペースにおいて移動端末１１０に送信する。
【００８０】
移動端末１１０は、指定される第１の周波数領域（周波数領域＃１）に位置する第１のサーチスペースセットの物理ダウンリンク制御チャネル（ＰＤＣＣＨ）候補をモニタする（図２のステップＳ０５を参照されたい）。重要な点として、第１の周波数領域は、指定される周波数領域である。なぜならば、移動端末１１０が、ＰＤＣＣＨ候補のモニタを開始する位置を認識しなければならないためである。
【００８１】
例示的な一実装形態においては、この指定は、その周波数領域が、同期信号および物理報知チャネルブロック（ＳＳＢ）、セル定義同期信号および物理報知チャネルブロック（セル定義ＳＳＢ）、無線リソース管理（ＲＲＭ）用の参照信号、無線リンクモニタ（ＲＬＭ）用の参照信号、およびハイブリッド自動再送要求の肯定応答（ＨＡＲＱ−ＡＣＫ）のうちの少なくとも１つを運ぶことからもたらされる。
【００８２】
重要な点として、これらの第１の周波数領域の使用は、いずれも、基地局１６０における空きチャネル判定（ＣＣＡ）の前であって、かつ、スロットにおけるモニタを開始する前に、移動端末１１０が受信するシグナリングに関連しており、したがって、移動端末１１０は事前に利用することができる。例えば、ＳＳＢおよびセル定義ＳＳＢは、セルの初期アクセス中に移動端末が受信する必要があるシグナリングを指す。
【００８３】
移動端末１１０は、基地局１６０が第１の周波数領域に対する空きチャネル判定（ＣＣＡ）に成功すると想定しようが想定しまいが、指定される第１の周波数領域に位置する第１のサーチスペースセットのＰＤＣＣＨ候補を必ずモニタする。このモニタの結果のみが異なる。
【００８４】
空きチャネル判定（ＣＣＡ）の成功の結果として、移動端末１１０は、指定される第１の周波数領域の第１のサーチスペースセットにおいて送信されたダウンリンク制御情報（ＤＣＩ）を受信する（図２のステップＳ０６を参照されたい）。空きチャネル判定（ＣＣＡ）に失敗した場合には、基地局１６０は、リッスンビフォアトーク要件を守るため、第１の周波数領域に位置するリソースでは送信を実行しない。この場合、移動端末１１０は、何も受信せず、特に、前述したＤＣＩを受信しない。
【００８５】
移動端末１１０によって受信されるＤＣＩは、指示を含む。この指示は、複数の周波数領域のうちの少なくとも１つの第２の周波数領域に関連付けられている少なくとも１つの第２のサーチスペースセットにおけるいくつかの特定のＰＤＣＣＨ候補またはすべてのＰＤＣＣＨ候補のモニタを移動端末１１０がスキップするか否かを示す。
【００８６】
より詳細には、指示が、モニタ中にいくつかの特定のＰＤＣＣＨ候補のみがスキップされることを示す場合と、指示が、モニタ中に第２のサーチスペースセットにおけるすべてのＰＤＣＣＨ候補がスキップされることを示す場合と、が区別される。
【００８７】
ＮＲにおけるサーチスペースセットの現在適用可能な定義の観点において考えられるいくつかの例示的な実装形態を考慮すると、この区別は影響がある。しかしながら、この区別は、本開示を制限しない。
【００８８】
このような例示的な実装形態においては、（１つの）第２のサーチスペースセットにおける、すべてではなくいくつかの特定のＰＤＣＣＨ候補のみが第２の周波数領域に関連付けられており、かつ、（１つの）第２のサーチスペースセットにおける他の（異なる）特定のＰＤＣＣＨ候補が、（異なる）第３の周波数領域に関連付けられていることが可能である。
【００８９】
したがって、第２の周波数領域に対してＣＣＡに失敗し、かつ、第３の周波数領域に対してＣＣＡに成功した場合、基地局１６０は、ＣＣＡの失敗が生じた第２の周波数領域に関連付けられている（１つの）第２のサーチスペースセットのＰＤＣＣＨ候補のみのモニタをスキップする指示を、移動端末１１０に送信することができる。
【００９０】
代替の例示的な実装形態においては、サーチスペースセットの各々が１つの（異なる）周波数領域に関連付けられていることも可能である。少なくとも１つの第２のサーチスペースセットの各々が、少なくとも１つの第２の周波数領域のうちの１つに関連付けられている。この場合、基地局１６０は、第２の周波数領域に関連付けられている（１つの）第２のサーチスペースセットのすべてのＰＤＣＣＨ候補のモニタをスキップする指示を、移動端末１１０に送信することができる。
【００９１】
重要な点として、少なくとも１つの第２のサーチスペースセットは、それぞれの少なくとも１つの第２の周波数領域に位置している必要はない。そうではなく、少なくとも１つの第２のサーチスペースセットは、例えば時間ドメインにおいて連続する指定される第１の周波数領域に位置していてもよい。このような１つの例が図３に示されている。少なくとも１つの第２のサーチスペースセットにおけるいくつかの特定のＰＤＣＣＨ候補またはすべてのＰＤＣＣＨ候補が、少なくとも１つの第２の周波数領域に関連付けられていればよい。
【００９２】
移動端末１１０は、指示を受信すると、受信したＤＣＩが、少なくとも１つの第２のサーチスペースセットにおける特定のＰＤＣＣＨ候補またはすべてのＰＤＣＣＨ候補のモニタをスキップすることを示していない場合にのみ、少なくとも１つの第２の周波数領域に関連付けられている（同じ）特定のＰＤＣＣＨ候補またはすべてのＰＤＣＣＨ候補をモニタする（図２のステップＳ０７を参照されたい）。
【００９３】
第２の周波数領域および第４の周波数領域に対するＣＣＡに失敗し、第３の周波数領域に対するＣＣＡに成功したこの例示的な実装形態においては、受信されるＤＣＩは、第２のサーチスペースセットおよび第４のサーチスペースセットのすべてのＰＤＣＣＨ候補をスキップする指示を含むのみである。したがって、移動端末１１０は、第３のサーチスペースセットのすべてのＰＤＣＣＨ候補（すなわち、ＣＣＡに成功した第３の周波数領域に関連付けられるすべてのＰＤＣＣＨ候補）をモニタする。
【００９４】
モニタをスキップする指示が含まれない特定のＰＤＣＣＨ候補またはすべてのＰＤＣＣＨ候補をモニタすることによって、移動端末１１０は、ダウンリンク受信用のリソースを割り当てているダウンリンク割当てを含むＤＣＩまたはアップリンク送信用のリソースを割り当てているアップリンクグラントを含むＤＣＩを受信することが可能になる（図２のステップＳ０８を参照されたい）。
【００９５】
［特定の実装形態］
次に、上に説明した概括的なシナリオの特定の実装形態について説明する。この実装形態は、３ＧＰＰ  ＮＲの特定の展開シナリオを表しているが、このシナリオは、概括的なシナリオを制限しない。この特定の実装形態においては、移動端末１１０には、ＮＲ固有のセル設定が提供される。
【００９６】
セルの設定中、移動端末１１０は、無線リソース制御（ＲＲＣ）シグナリングを介して、制御リソースセット（ＣＯＲＥＳＥＴ）情報要素（ＩＥ）を受信する（図２のステップＳ０１を参照されたい）。このＩＥは、「ＣｏｎｔｒｏｌＲｅｓｏｕｒｃｅＳｅｔ」ＩＥと称され、（上に引用した）非特許文献６に関連して上述した定義と整合する。重要な点として、ＣＯＲＥＳＥＴ  ＩＥは、ＣＯＲＥＳＥＴが設定されているリソースに完全に含まれる６つのリソースブロックのグループを定義するｆｒｅｑｕｅｎｃｙＤｏｍａｉｎＲｅｓｏｕｒｃｅｓフィールドを含む。
【００９７】
さらに、セルの設定中、移動端末１１０は、ＲＲＣシグナリングを介して、サーチスペース情報要素（ＩＥ）を受信する（図２のステップＳ０２を参照されたい）。このＩＥは、「ＳｅａｒｃｈＳｐａｃｅ」と称され、（上に引用した）非特許文献６に関連して上述した定義と整合する。重要な点として、このサーチスペースＩＥは、ＰＤＣＣＨをモニタする対象の、スロット内のシンボルを定義するｍｏｎｉｔｏｒｉｎｇＳｙｍｂｏｌｓＷｉｔｈｉｎＳｌｏｔフィールドを含む。
【００９８】
ここで、第１のサーチスペースセットのためのサーチスペースＩＥが受信されると仮定する。この場合、このサーチスペースＩＥは、移動端末１１０が時間ドメインにおいて第１のサーチスペースセットのＰＤＣＣＨ候補のモニタを開始する、スロット内のシンボルの観点での位置を、ｍｏｎｉｔｏｒｉｎｇＳｙｍｂｏｌｓＷｉｔｈｉｎＳｌｏｔフィールドを介して（時間ドメイン内で）定義している。
【００９９】
さらに、このサーチスペースＩＥは、前にＣＯＲＥＳＥＴ  ＩＥとして受信された適用可能なＣＯＲＥＳＥＴの識別情報を含む。サーチスペースＩＥは、この識別情報を通じて、移動端末１１０が周波数ドメインにおいて第１のサーチスペースセットのＰＤＣＣＨ候補のモニタを開始する、６つのリソースブロックのグループの観点での位置を、ｆｒｅｑｕｅｎｃｙＤｏｍａｉｎＲｅｓｏｕｒｃｅｓフィールドを介して（周波数ドメイン内で）定義している。
【０１００】
したがって、これら２つの情報要素によって、移動端末１１０は、ＮＲ固有の展開シナリオにおいて第１のサーチスペースセットにおけるＰＤＣＣＨ候補をモニタすることが可能になる。
【０１０１】
これに加えて、移動端末１１０は、セルの設定中、ＲＲＣシグナリングを介して、少なくとも１つのスロットフォーマットコンビネーションＩＥを受信する（図２のステップＳ０３を参照されたい）。このＩＥは、「ｓｌｏｔＦｏｒｍａｔＣｏｍｂｉｎａｔｉｏｎｓ」と称され、（上に引用した）非特許文献６に関連して上述した定義と整合しない。
【０１０２】
上述した定義とは異なり、少なくとも１つのスロットフォーマットコンビネーションＩＥの各々が、（セルあたり１つのスロットフォーマットのみではなく）複数の周波数領域のそれぞれの１つについてスロットフォーマットを別個に事前設定する。しかしながら、少なくとも１つのスロットフォーマットコンビネーションＩＥによって、基地局１６０は、セル内の異なる周波数領域に対する異なるスロットフォーマットを移動端末１１０に設定することが可能になる。
【０１０３】
ただし、各スロットフォーマットは、非特許文献７に関連する上記の説明に矛盾することなく、スロットの個々のシンボルがどのように（すなわち、ダウンリンクシンボルとして、アップリンクシンボルとして、またはフレキシブルシンボルとして）使用されるかを指定する。基地局１６０は、移動端末１１０において複数のスロットフォーマットの組合せを設定することができ、その後、基地局は、１スロット毎または複数のスロット毎に、これらの複数のスロットフォーマットのうち使用するいずれか１つを選択することができる。
【０１０４】
例えば、基地局１６０が４つの異なるスロットフォーマットの組合せを移動端末１１０に設定すると仮定する。これは、４つの特定のスロットフォーマットと選択動作において使用することができる４つのインデックス値との間の関連付けが移動端末１１０に提供されることをもたらすことができる。この関連付けは、以下の表１に示されているようにすることができる。
【表１】
2021532623.tif 000013
【０１０５】
表１におけるスロットフォーマットでは、略字が使用されており、「Ｄ」がダウンリンクシンボルを表し、「Ｆ」がフレキシブルシンボルを表し、「Ｕ」がアップリンクシンボルを表していることは言うまでもない。
【０１０６】
この場合も、スロットフォーマットコンビネーションＩＥの上の説明は、スロットフォーマットコンビネーションが適用される周波数領域を述べていない。従来、基地局１６０は、これらのスロットフォーマットコンビネーションを、広帯域動作においてセル（全体）に適用されるように、移動端末１１０において設定する。
【０１０７】
しかしながら、この特定の実装形態では、上の手法は採用されない。この理由から、スロットフォーマットコンビネーションＩＥの定義は、非特許文献６または非特許文献５に記載されている定義と整合しない。特に、この特定の実装形態においては、スロットフォーマットコンビネーションは、（セルあたり１つのみではなく）各周波数領域に対して別個に設定される。
【０１０８】
ここでも、基地局１６０は、セルのキャリア帯域幅が分割されている複数の周波数領域の各々に対して空きチャネル判定（ＣＣＡ）を実行する（図２のステップＳ０４を参照されたい）。なお、周波数領域の各々が狭い２０ＭＨｚ単位に限定される必要はないことを強調しておく。代わりに、各周波数領域は、２０ＭＨｚの整数倍に相当することもできる。
【０１０９】
例示のみを目的として、基地局１６０によって実行される空きチャネル判定（ＣＣＡ）は、この場合にも、第１の周波数領域および第３の周波数領域に対して成功し、第２の周波数領域および第４の周波数領域に対して失敗すると仮定する。基地局１６０は、専用の第１の周波数帯域に対して実行した空きチャネル判定（ＣＣＡ）に成功すると、ダウンリンク制御情報（ＤＣＩ）（後述する）を、指定される第１の周波数領域における第１のサーチスペースセットにおいて移動端末１１０に送信する。
【０１１０】
移動端末１１０は、指定される第１の周波数領域（周波数領域＃１）に位置する第１のサーチスペースセットの物理ダウンリンク制御チャネル（ＰＤＣＣＨ）候補をモニタする（図２のステップＳ０５を参照されたい）。この特定の実装形態においては、第１のサーチスペースセットは、タイプ３  ＰＤＣＣＨ共通サーチスペースセットであり、スロットフォーマットインジケータ（ＳＦＩ）無線ネットワーク一時識別子（ＲＮＴＩ）によってスクランブルされたＤＣＩを運ぶ。したがって、移動端末１１０は、ＤＣＩフォーマット２＿０を有するＤＣＩを対象に、第１のサーチスペースセットをモニタする。
【０１１１】
次に、移動端末１１０は、ＰＤＣＣＨ候補のモニタをスキップするか否かの指示を含むダウンリンク制御情報（ＤＣＩ）を受信する（図２のステップＳ０６を参照されたい）。この特定の実装形態においては、受信されるＤＣＩは、このＤＣＩが、移動端末１１０にスロットフォーマットを通知するために基地局１６０によって使用されることを意味するＤＣＩフォーマット２＿０を有する。基地局１６０は、特定のスロットフォーマットを移動端末１１０に通知することを通じて、ＰＤＣＣＨ候補のモニタをスキップするか否かの指示を（さらに）送信する。
【０１１２】
この特定の実装形態のＤＣＩフォーマット２＿０も、スロットフォーマットコンビネーションＩＥと同様に、上に説明した定義とは異なる。この理由のため、ＤＣＩフォーマット２＿０の定義も、非特許文献５に記載されている定義と整合しない。特に、この特定の実装形態においては、ＤＣＩフォーマット２＿０は、（セルあたり１つのみではなく）周波数領域の各々について別個のスロットフォーマットインジケータを含む。
【０１１３】
このＤＣＩフォーマット２＿０は、各周波数領域についてのスロットフォーマットインジケータ（ＳＦＩインデックスと称される）を運ぶ、すなわち、例えば、周波数領域＃１についてのＳＦＩインデックスと、周波数領域＃２についての別のＳＦＩインデックスと、周波数領域＃３についてのさらなるＳＦＩインデックスと、周波数領域＃４についてのさらに別のＳＦＩインデックスと、を運ぶ。このＳＦＩインデックス値は、スロットフォーマットコンビネーションＩＥを通じて移動端末１１０において設定されるインデックス値に対応する。
【０１１４】
繰り返すが、ＳＦＩインデックスおよびスロットフォーマットコンビネーションＩＥの両方が、周波数領域毎に伝えられることを強調しておく。この点において、基地局１６０は、移動端末１１０に、最初に各周波数領域についてのスロットフォーマットコンビネーションＩＥを提供し、次に各周波数領域についてのＳＦＩインデックスを提供する。これら２つの間には明確な関連付けが存在する。
【０１１５】
したがって、説明のための本例においては、移動端末１１０は、指示を含むＤＣＩ（すなわち、周波数領域（周波数領域＃１〜周波数領域＃４）の各々についての４つのＳＦＩインデックスのシーケンスを含む、ＤＣＩフォーマット２＿０を有するＤＣＩ）を受信する。次に、移動端末１１０は、４つのＳＦＩインデックスを使用して、４つの周波数領域の各々についてのスロットフォーマットを決定する。この決定は、上述したそれぞれのスロットフォーマットコンビネーションを参照する。
【０１１６】
例を挙げる目的で、４つの周波数領域の各々に同じスロットフォーマットコンビネーション（すなわち、上の表１に示されているスロットフォーマットコンビネーション）が（別個に）設定されていると仮定する。さらに、周波数領域＃１についてのＳＦＩインデックスが「００」であり、周波数領域＃２についてのＳＦＩインデックスが「０１」であり、周波数領域＃３についてのＳＦＩインデックスが「００」であり、周波数領域＃４についてのＳＦＩインデックスが「０１」であると仮定する。言い換えれば、フォーマットとしてＤＣＩフォーマット２＿０を有する受信されるＤＣＩは、ビット「００」、「０１」、「００」、および「０１」を運ぶ。
【０１１７】
すなわち、表１の関連付けによれば、これは、移動端末１１０がＤＣＩを受信する対象のスロットには、周波数領域＃１についての１４ダウンリンクシンボル、周波数領域＃２についての１４フレキシブルシンボル、周波数領域＃３についての１４ダウンリンクシンボル、および周波数領域＃４についての１４フレキシブルシンボルが設定されていることを意味する。言い換えれば、移動端末１１０は、受信されたＤＣＩの中のスロットフォーマットインジケータ（ＳＦＩ）インデックス値のシーケンスの各々を、複数の周波数領域（周波数領域＃１〜＃４を参照されたい）の各々について別個に事前設定されているスロットフォーマットのセット（表１を参照されたい）に従って解釈する。
【０１１８】
重要な点として、この受信されるＤＣＩは、移動端末１１０にセルが（すでに）設定されているという前提の下で（図３のＳ０１〜Ｓ０３を参照されたい）、ＰＤＣＣＨ候補のモニタをスキップするか否かを示す。言い換えれば、この指示は、ＰＤＣＣＨ候補をモニタするための個々のサーチスペースセットがどこに位置しているかを移動端末１１０がすでに認識しているという前提に基づく。
【０１１９】
このことは、明らかに、第１のサーチスペースセットのＰＤＣＣＨ候補をモニタすること（図２のステップＳ０５を参照されたい）に対する本質的な前提である。移動端末１１０は、第１のサーチスペースセットがどこに位置するかを認識しているときにのみ、そのサーチスペースのＰＤＣＣＨ候補をモニタすることができる。したがって、ＰＤＣＣＨ候補をモニタすることができる移動端末には、前提として（すでに）セルが設定されていることになる。
【０１２０】
同じことが、概括的なシナリオにおいて上述した少なくとも１つの第２のサーチスペースセットについてもあてはまる。
【０１２１】
４つの周波数領域（周波数領域＃１〜＃４）を伴う例に戻ると、明らかに、例えば２つのみのサーチスペースセットを定義するのは不利であり得る。２つのみのサーチスペースセットは、ＰＤＣＣＨの容量を制限させることがあり、したがって、ＵＥをスケジューリングすることができる確率を低下させる。したがって、説明を目的として、４つの異なるサーチスペースセット（ＳＳｓ＃１、ＳＳｓ＃２、ＳＳｓ＃３、ＳＳｓ＃４と称する）が存在すると仮定している。
【０１２２】
上の説明を考慮すると、明らかに、移動端末１１０がＤＣＩフォーマット２＿０のＤＣＩを受信する第１のサーチスペースセットＳＳｓ＃１は、非特許文献５に定義されている内容と整合するタイプ３  ＰＤＣＣＨ共通サーチスペースセットであり、移動端末１１０がダウンリンク割当てまたはアップリンクグラントを受信することが可能にされる第２〜第４のサーチスペースセットＳＳｓ＃２〜ＳＳｓ＃４は、非特許文献５に定義されている内容とやはり整合するＵＥ固有サーチスペースセットである。
【０１２３】
例を目的として、移動端末１１０は、４つのサーチスペースセットにおいてＰＤＣＣＨ候補をモニタする、時間ドメインおよび周波数ドメインにおける（正確な）位置を認識している。移動端末１１０は、スロット内の各周波数領域＃１〜＃４の最初のシンボルおよび２番目のシンボルが、それぞれの第１〜第４のサーチスペースセットのＰＤＣＣＨ候補を運ぶことを認識していると仮定する。言い換えれば、第１のサーチスペースセットは、周波数領域＃１に含まれ、第２のサーチスペースセットは、周波数領域＃２に含まれ、第３のサーチスペースセットは、周波数領域＃３に含まれ、第４のサーチスペースセットは、スロットの周波数領域＃４に含まれる。一例が図４に示されている。
【０１２４】
この例では、移動端末１１０は、ＤＣＩが受信される対象のスロットに、周波数領域＃１についての１４ダウンリンクシンボル、周波数領域＃２についての１４フレキシブルシンボル、周波数領域＃３についての１４ダウンリンクシンボル、および周波数領域＃４についての１４フレキシブルシンボルが設定されていることを移動端末１１０に通知するＤＣＩフォーマット２＿０を有するＤＣＩを受信する。
【０１２５】
すると、移動端末１１０は、第２のサーチスペースセットおよび第４のサーチスペースセットにおけるＰＤＣＣＨ候補の設定されている位置と、受信されたＤＣＩによって示される、第２の周波数領域＃２および第４の周波数領域＃４についてのスロットフォーマットと、の間の相違をただちに識別する。
【０１２６】
第２のサーチスペースセットおよび第４のサーチスペースセットの設定されている位置が、それぞれの第２の周波数領域および第４の周波数領域におけるスロットの最初のシンボルおよび２番目のシンボルである場合、移動端末１１０は、これらのシンボルもダウンリンクシンボルとして示されていると予測する。しかしながら、受信されたＤＣＩは、それぞれの第２の周波数領域および第４の周波数領域のこれらのシンボル（すなわち１４シンボルすべて）が、上述したようにフレキシブルシンボルであることを示している。言い換えれば、サーチスペースセットの設定と第２の周波数領域＃２および第４の周波数領域＃４についてのスロットフォーマットの通知との間に相違がある。
【０１２７】
同時に、移動端末は、第１のサーチスペースセットおよび第３のサーチスペースセット（すなわち、周波数領域＃１および周波数領域＃３に位置するサーチスペースセット）については、このような相違を識別できない。
【０１２８】
ここで、認識すべき重要な点として、この特定の実装形態の基地局１６０は、特定のサーチスペースセットのモニタをスキップするか否かの指示を、この相違を利用して移動端末１１０に送信する。例えば、ＤＣＩフォーマット２＿０を有する受信されたＤＣＩが、サーチスペースセットが設定されている位置にフレキシブルシンボルまたはアップリンクシンボル（非ダウンリンクシンボルと称する）を有するスロットフォーマットを指定するＳＦＩインデックスを含む場合、移動端末１１０は、このことを、それぞれのサーチスペースのＰＤＣＣＨ候補のモニタをスキップする指示として解釈する。
【０１２９】
より一般的に言えば、事前設定されているスロットフォーマット（表１を参照されたい）のうち、ＳＦＩインデックスを介して示されるスロットフォーマットが、少なくとも１つの第２のサーチスペースセットが位置するリソースに対して非ダウンリンクシンボル（すなわち、フレキシブルシンボルまたはアップリンクシンボル）を指定している場合、移動端末１１０は、少なくとも１つの第２の周波数領域のそれぞれの１つに関連付けられている少なくとも１つの第２のサーチスペースセットにおいていくつかの特定のＰＤＣＣＨ候補またはすべてのＰＤＣＣＨ候補のモニタを移動端末がスキップする指示を含むものとして、受信されたＤＣＩを解釈する。
【０１３０】
この特定の実装形態の上の説明は、特定のサーチスペースセットのモニタをスキップするか否かの指示が、１つのサーチスペースセットに関連付けられている、ＤＣＩフォーマット２＿０の中のＳＦＩインデックスに対応する場合に関する。言い換えれば、上の説明は、ＤＣＩフォーマット２＿０を有する受信されるＤＣＩが、各周波数領域についてのＳＦＩインデックスを含むことを前提としている。しかしながら、この例は、上の説明への概括的な限定として意図されるものではない。そうではなく、この例は、説明を簡潔にする理由で与えられている。
【０１３１】
上にすでに述べているように、ＰＤＣＣＨ候補のモニタをスキップする指示は、サーチスペースセットのいくつかの特定のＰＤＣＣＨ候補またはすべてのＰＤＣＣＨ候補を対象とすることができる。これは、各サーチスペースセットがただ１つの周波数領域に関連付けられていてもよいが、（上述した特定の実装形態を拡張して）ただ１つの周波数領域に関連付けられていなくてもよいことからもたらされる。
【０１３２】
この特定の実装形態の文脈においては、このことは、ＤＣＩフォーマット２＿０が必ずしも各周波数領域についてのＳＦＩインデックスを含まなくてよいことを意味する。そうではなく、場合によっては、ＤＣＩフォーマット２＿０は、複数の範囲に関連付けられているＳＦＩインデックスを含むこともある。その場合、このようなＳＦＩインデックスは、事前設定されているスロットフォーマットをインデックスで示し、この場合、その一部分が、１つの周波数領域におけるスケジューリングに関連付けられているリソース（すなわちシンボル）に位置するＰＤＣＣＨ候補に関連し、他の部分が、別の（異なる）周波数領域におけるスケジューリングに関連付けられているリソース（すなわち他のシンボル）に位置するＰＤＣＣＨ候補に関連する。
【０１３３】
この特定の実装形態は、ＤＣＩフォーマット２＿０における固有の制約によって制限されるだけである。ＤＣＩフォーマット２＿０が、ＰＤＣＣＨ候補をモニタするか否かの指示を送信するために使用される場合には、そのＤＣＩフォーマット２＿０は、シンボルレベルでの指示に制限される。言い換えれば、ＤＣＩフォーマット２＿０におけるＳＦＩインデックスは、シンボルがダウンリンクシンボルであるか非ダウンリンクシンボル（すなわちフレキシブルシンボルまたはアップリンクシンボル）であるかを（時間ドメインにおいて）規定するだけである。
【０１３４】
したがって、この特定の実装形態は、モニタをスキップすることができる特定のＰＤＣＣＨ候補が、時間ドメインにおいてスロット内の同じシンボルまたは同じシンボルセットを共有するリソースに位置することを規定している。
【０１３５】
明らかに、非ダウンリンクシンボルとして示すことは、同じシンボルに位置するＰＤＣＣＨ候補のモニタをスキップする指示として、移動端末１１０によって解釈することができる。例えば、サーチスペースセットが２個の連続するシンボルにわたる場合、最初のシンボル（のみ）を非ダウンリンクシンボルとして示す（２番目のシンボルはダウンリンクシンボルである）ことを、この場合には、時間ドメインにおいてその最初のシンボル（のみ）に位置しているいくつかの特定のＰＤＣＣＨ候補のみのモニタをスキップする指示として、理解することができる。ダウンリンクシンボルとして示されている２番目のシンボルに対しては、移動端末は、依然としてＰＤＣＣＨ候補のモニタを実行することができる。
【０１３６】
これの代替として、非ダウンリンクシンボルとして示すことは、すべてのＰＤＣＣＨ候補（すなわち、サーチスペースセットを形成している同じシンボルセットに位置しているＰＤＣＣＨ候補）のモニタをスキップする指示として、移動端末１１０によって解釈することもできる。例えば、サーチスペースセットが２個の連続するシンボルにわたる場合、最初のシンボル（のみ）を非ダウンリンクシンボルとして示すことを、この代替の場合には、（オーバーラップして（in an overlapping manner））位置しておりすべてのＰＤＣＣＨ候補を運ぶシンボルセットを形成している最初のシンボルおよび２番目のシンボルのモニタをスキップする指示として、理解することができる。
【０１３７】
この特定の実装形態においても、複数の周波数領域の各々は、複数の異なるリッスンビフォアトーク範囲識別子のうちの１つ、異なる移動端末固有周波数領域識別子のうちの１つ、複数の異なる制御リソースセット（ＣＯＲＥＳＥＴ）識別子のうちの１つ、または複数の異なる帯域幅部分（ＢＷＰ）インデックスのうちの１つ、のいずれかを介して識別されることは言うまでもない。リッスンビフォアトーク識別子を使用することは、周波数領域がリッスンビフォアトーク範囲（すなわち上に述べた２０ＭＨｚ単位のうちの１つ）に対応することを意味する。
【０１３８】
移動端末固有周波数領域識別子を使用することは、基地局が、最初に、対応する識別子を介して参照される特定の周波数領域を移動端末に設定することを意味する。さらに、ＣＯＲＥＳＥＴ識別子を使用することは、周波数領域が、各ＣＯＲＥＳＥＴ  ＩＥの中で指定されるそれぞれの「ｆｒｅｑｕｅｎｃｙＤｏｍａｉｎＲｅｓｏｕｒｃｅｓ」に対応することを意味する。ＢＷＰインデックスを使用することは、周波数領域がそれぞれのＢＷＰに対応することを意味する。
【０１３９】
［スロットフォーマットコンビネーションＩＥの第１の例示的な実装形態］
特定の実装形態においてすでに述べているように、移動端末１１０は、セルの設定中、ＲＲＣシグナリングを介して、少なくとも１つのスロットフォーマットコンビネーションＩＥを受信する（図２のステップＳ０３を参照されたい）。このＩＥは、「ｓｌｏｔＦｏｒｍａｔＣｏｍｂｉｎａｔｉｏｎｓ」と称され、（上に引用した）非特許文献６に関連して上述した定義と整合しない。
【０１４０】
上述した定義とは異なり、少なくとも１つのスロットフォーマットコンビネーションＩＥの各々は、（セルあたり１つのスロットフォーマットのみではなく）複数の周波数領域のそれぞれの１つについてスロットフォーマットを別個に事前設定している。しかしながら、少なくとも１つのスロットフォーマットコンビネーションＩＥによって、基地局１６０は、移動端末１１０に複数の異なるスロットフォーマットを設定することが可能になる。
【０１４１】
スロットフォーマットコンビネーションＩＥの第１の例示的な実装形態が、以下の疑似コード１に示されている。この疑似コード１では、スロットフォーマットコンビネーションＩＥが、「ｓｌｏｔＦｏｒｍａｔＣｏｍｂｉｎａｔｉｏｎｓＰｅｒＬＢＴｕｎｉｔ」ＩＥと称されるさらなるＩＥの一部であることが分かる。具体的には、ＬＢＴ単位毎のスロットフォーマットコンビネーションのこのＩＥは、特に、前述した「ｓｅｒｖｉｎｇＣｅｌｌＩｄ」フィールド、「ＬＢＴｕｎｉｔＩｄ」フィールド、および「ｓｌｏｔＦｏｒｍａｔＣｏｍｂｉｎａｔｉｏｎｓ」フィールドを含む複数のフィールドのシーケンスとして定義される（ＬＢＴはリッスンビフォアトークを表す）。
【数１１】
2021532623.tif 000014
【０１４２】
整合性の理由から、ＬＢＴ単位インデックスＩＥの以下の定義も、以下の疑似コード２に示されている。この疑似コード２では、リッスンビフォアトーク単位インデックスが、０から、セル毎に定義される何らかの最大数までを範囲とする整数として定義されることが分かる。
【数１２】
2021532623.tif 000015
【０１４３】
このようにＬＢＴ単位毎のスロットフォーマットコンビネーションのＩＥを複数のフィールドのシーケンスとして定義することによって、スロットフォーマットコンビネーションが、各セルについてのスロットフォーマットと、リッスンビフォアトーク単位（すなわち、上述した２０ＭＨｚの単位）に対応する複数の周波数領域についてのスロットフォーマットと、を別個に事前定義することを保証することができる。
【０１４４】
［スロットフォーマットコンビネーションＩＥの第２の例示的な実装形態］
特定の実装形態においてすでに述べているように、移動端末１１０は、セルの設定中、ＲＲＣシグナリングを介して、少なくとも１つのスロットフォーマットコンビネーションＩＥを受信する（図２のステップＳ０３を参照されたい）。このＩＥは、「ｓｌｏｔＦｏｒｍａｔＣｏｍｂｉｎａｔｉｏｎｓ」と称され、（上に引用した）非特許文献６に関連して上述した定義と整合しない。
【０１４５】
上述した定義とは異なり、少なくとも１つのスロットフォーマットコンビネーションＩＥの各々は、（セルあたり１つのスロットフォーマットのみではなく）複数の周波数領域のそれぞれの１つについてスロットフォーマットを別個に事前設定している。しかしながら、少なくとも１つのスロットフォーマットコンビネーションＩＥによって、基地局１６０は、移動端末１１０に複数の異なるスロットフォーマットを設定することが可能になる。
【０１４６】
スロットフォーマットコンビネーションＩＥの第２の例示的な実装形態が、以下の疑似コード３に示されている。この疑似コード３では、スロットフォーマットコンビネーションＩＥが、「ｓｌｏｔＦｏｒｍａｔＣｏｍｂｉｎａｔｉｏｎｓＰｅｒＲａｎｇｅ」と称されるさらなるＩＥの一部であり、「ｓｌｏｔＦｏｒｍａｔＣｏｍｂｉｎａｔｉｏｎｓＰｅｒＲａｎｇｅ」自体が、「ｓｌｏｔＦｏｒｍａｔＣｏｍｂｉｎａｔｉｏｎｓＰｅｒＣｅｌｌ」と称されるさらなるＩＥの一部であることが分かる。具体的には、後者のセル毎のスロットフォーマットコンビネーションのＩＥは、「ｓｅｒｖｉｎｇＣｅｌｌＩｄ」フィールドおよび「ｓｌｏｔＦｏｒｍａｔＣｏｍｂｉｎａｔｉｏｎｓＰｅｒＲａｎｇｅ」フィールドを含む２つのフィールドのシーケンスとして定義される。この場合、「ｓｌｏｔＦｏｒｍａｔＣｏｍｂｉｎａｔｉｏｎｓＰｅｒＲａｎｇｅ」ＩＥは、特に、前述した「ｓｌｏｔＦｏｒｍａｔＣｏｍｂｉａｎｔｉｏｎＲａｎｇｅＩｄ」フィールドおよび「ｓｌｏｔＦｏｒｍａｔＣｏｍｂｉｎａｔｉｏｎｓ」フィールドを含む複数のフィールドのシーケンスを含む。
【０１４７】
「ｓｌｏｔＦｏｒｍａｔＣｏｍｂｉａｎｔｉｏｎＲａｎｇｅＩｄ」フィールドのこの定義（値が「ＬＢＴｕｎｉｔＩｎｄｅｘ」である）は、必ずしも、範囲とＬＢＴ単位との間の対応である必要はない。例えば、この定義により、ＬＢＴ単位より広い周波数領域を指定することが可能になり、同時に、ＬＢＴ単位を包含する周波数領域を指定することも可能になる（ＬＢＴはリッスンビフォアトークを表す）。
【数１３】
2021532623.tif 000016
【０１４８】
整合性の理由から、ＬＢＴ単位インデックスＩＥの以下の定義も、以下の疑似コード４に示されている。この疑似コード４では、リッスンビフォアトーク単位インデックスが、０から、セル毎に定義される最大数までを範囲とする整数として定義されることが分かる。
【数１４】
2021532623.tif 000017
【０１４９】
このようにセル毎のスロットフォーマットコンビネーションのＩＥを複数のフィールドのシーケンスとして定義することによって、スロットフォーマットコンビネーションが、各セルについてのスロットフォーマットと、複数の周波数領域（ただし、リッスンビフォアトーク単位（すなわち、上述した２０ＭＨｚの単位）とは異なる）の各々についてのスロットフォーマットと、を別個に事前設定することを保証することができる。
【０１５０】
［ＤＣＩフォーマット２＿０を有するＤＣＩの例示的な実装形態］
特定の実装形態においてすでに述べているように、移動端末１１０は、ＤＣＩフォーマット２＿０を有するＤＣＩを受信する。このＤＣＩフォーマット２＿０の特定の実装形態も、上述した説明と異なる。この理由から、ＤＣＩフォーマット２＿０の定義も、非特許文献５に記載されている定義と整合しない。
【０１５１】
具体的には、特定の実装形態においては、ＤＣＩフォーマット２＿０は、（セルあたり１つのみではなく）周波数領域の各々について別個のスロットフォーマットインジケータを含む。このことが、以下の抜粋に示されており、ここでは、ＤＣＩスロットフォーマットは、各スロットフォーマットインジケータが特定のセルおよび特定の周波数領域に対応する複数のスロットフォーマットインジケータのシーケンスを有するものとして規定される。
「７．３．１．３．１  フォーマット２＿０
ＤＣＩフォーマット２＿０は、スロットフォーマットを通知するために使用される。ＳＦＩ−ＲＮＴＩによってスクランブルされたＣＲＣを含むＤＣＩフォーマット２＿０によって、以下の情報が送信される。
−スロットフォーマットインジケータ１−１、スロットフォーマットインジケータ１−２、．．．、スロットフォーマットインジケータ２−１、スロットフォーマットインジケータ２−２、．．．、スロットフォーマットインジケータＮ−Ｍ
ここで、「スロットフォーマットインジケータＮ−Ｍ」は、周波数領域ＭにわたるセルＮについてのスロットフォーマットを示す。」
【０１５２】
［特定の実装形態の例１］
次に、図３を参照しながら、上述した３ＧＰＰ  ＮＲ固有の展開シナリオに関連する特定の実装形態の第１の例が与えられる。簡潔さの理由から、図２の上の説明から直接明らかではない詳細のみについて説明する。
【０１５３】
この例では、移動端末１１０が、周波数領域＃１について、８つの異なるスロットフォーマットの組合せを移動端末１１０に設定するスロットフォーマットコンビネーションＩＥを受信する（図２のステップＳ０３を参照されたい）と仮定する。これは、８つの特定のスロットフォーマットと周波数領域＃１に対する選択動作において使用することができる８つのインデックス値との間の関連付けが移動端末１１０に提供されることをもたらすことができる。この関連付けは、以下の表２に示されているようにすることができる。
【表２】
2021532623.tif 000018
【０１５４】
さらに、移動端末１１０は、周波数領域＃２〜周波数領域＃４について、４つの異なるスロットフォーマットの組合せを移動端末１１０に設定するスロットフォーマットコンビネーションＩＥを受信する（図２のステップＳ０３を参照されたい）。これは、４つの特定のスロットフォーマットと周波数領域＃２〜周波数領域＃４に対する選択動作において使用することができる４つのインデックス値との間の別の関連付けが移動端末１１０に提供されることをもたらすことができる。この関連付けは、以下の表３に示されているようにすることができる。
【表３】
2021532623.tif 000019
【０１５５】
（前に受信された）ＣＯＲＥＳＥＴ  ＩＥおよびサーチスペースＩＥは、第１のサーチスペースセットが、周波数領域＃１におけるスロットの最初の２シンボル（すなわちシンボル＃１〜＃２）に対応するリソースに位置していることを移動端末１１０が認識するように、移動端末１１０に設定する。同様に、移動端末１１０は、第２のサーチスペースセット、第３のサーチスペースセット、および第４のサーチスペースセットが、それぞれ２番目の２シンボル、３番目の２シンボル、および４番目の２シンボル（すなわちシンボル＃３〜＃４、シンボル＃５〜＃６、およびシンボル＃７〜＃８）に対応するリソースに位置していることを認識するように設定される。
【０１５６】
言い換えれば、第１〜第４のサーチスペースセットのこの設定においては、第１〜第４のサーチスペースセットは、周波数領域＃１における連続する２シンボルのセットに対応するリソースに位置する。
【０１５７】
重要な点として、第２〜第４のサーチスペースセットがそれぞれの第２〜第４の周波数領域（周波数領域＃２〜＃４）に関連付けられていることとは無関係に、第１〜第４のサーチスペースセットのすべてに、周波数領域＃１における位置が設定される。したがって、サーチスペースセットのためのＣＯＲＥＳＥＴ  ＩＥは、サーチスペースセットが関連付けられている同じ周波数領域における位置を規定しないことが分かる。
【０１５８】
次に、基地局１６０がリッスンビフォアトーク動作を実行し、それに応じて周波数領域＃１〜周波数領域＃４の各々に対する空きチャネル判定を実行する（図２のステップＳ０４を参照されたい）と仮定する。この例においても、基地局１６０によって実行される空きチャネル判定（ＣＣＡ）は、第１の周波数領域および第３の周波数領域に対して成功し、第２の周波数領域および第４の周波数領域に対して失敗すると仮定する。
【０１５９】
移動端末１１０は、指定される第１の周波数領域（周波数領域＃１）に位置する第１のサーチスペースセットの物理ダウンリンク制御チャネル（ＰＤＣＣＨ）候補をモニタする（図２のステップＳ０５を参照されたい）。第１のサーチスペースセットは、スロットフォーマットインジケータ（ＳＦＩ）無線ネットワーク一時識別子（ＲＮＴＩ）によってスクランブルされたＤＣＩを運ぶタイプ３  ＰＤＣＣＨ共通サーチスペースセットである。したがって、移動端末１１０は、ＤＣＩフォーマット２＿０を有するＤＣＩを対象に、第１のサーチスペースセットをモニタする。
【０１６０】
次に、移動端末１１０は、ＰＤＣＣＨ候補のモニタをスキップするか否かの指示を含むダウンリンク制御情報（ＤＣＩ）を受信する（図２のステップＳ０６を参照されたい）。具体的には、受信されるＤＣＩは、このＤＣＩが、使用されるスロットフォーマットを移動端末１１０に通知するために基地局１６０によって使用されることを意味するＤＣＩフォーマット２＿０を有する。基地局１６０は、特定のスロットフォーマットを移動端末１１０に通知することを通じて、ＰＤＣＣＨ候補のモニタをスキップするか否かの指示を（さらに）送信する。
【０１６１】
この例では、受信されるＤＣＩは、周波数領域＃１〜周波数領域＃４の各々についてのスロットフォーマットインジケータ（ＳＦＩ）インデックスのシーケンスを含み、この場合、周波数領域＃１についてのＳＦＩインデックスは「１０１」に対応し、周波数領域＃２についてのＳＦＩインデックスは「０１」に対応し、周波数領域＃３についてのＳＦＩインデックスは「００」に対応し、周波数領域＃４についてのＳＦＩインデックスは「０１」に対応する。次に、移動端末１１０は、これら４つのＳＦＩインデックスを使用して、それぞれの４つの周波数領域の各々についてのスロットフォーマットを決定する。この決定は、周波数領域＃１については表２のそれぞれのスロットフォーマットコンビネーションを参照し、周波数領域＃２〜周波数領域＃４については表３のそれぞれのスロットフォーマットコンビネーションを参照する。したがって、周波数領域＃１についてのＳＦＩインデックス「１０１」は、スロットフォーマット「ＤＤ  ＦＦ  ＤＤ  ＦＦ  ＦＦ  ＦＦ  ＦＦ」を参照する。これは、周波数領域＃１におけるシンボル＃１〜＃２およびシンボル＃５〜＃６がダウンリンクシンボルであるのに対し、周波数領域＃１におけるシンボル＃３〜＃４およびシンボル＃７〜＃８がフレキシブルシンボルであることを意味する。
【０１６２】
すると、移動端末１１０は、第２のサーチスペースセットおよび第４のサーチスペースセットにおけるＰＤＣＣＨ候補の設定されている位置と、受信されたＤＣＩによって示される、第１の周波数領域＃１についてのスロットフォーマットと、の間の相違をただちに識別する。
【０１６３】
第２のサーチスペースセットおよび第４のサーチスペースセットの設定されている位置は、周波数領域＃１におけるスロットのシンボル＃３〜＃４およびシンボル＃７〜＃８であるため、移動端末１１０は、これらのシンボルがダウンリンクシンボルとして示されていることを予測する。しかしながら、受信されたＤＣＩは、これらのシンボルをフレキシブルシンボルとして示している。言い換えれば、サーチスペースセットの設定と周波数領域＃１についてのスロットフォーマットの通知との間に相違がある。
【０１６４】
ここで、認識するべき重要な点として、基地局１６０は、特定のサーチスペースセットのモニタをスキップするか否かの指示を、この相違を利用して移動端末１１０に送信する。この例においては、受信されるＤＣＩは、第２のサーチスペースセットおよび第４のサーチスペースセットが設定されている位置にフレキシブルシンボル（すなわち非ダウンリンクシンボル）を有するスロットフォーマットを指定している。したがって、移動端末１１０は、このことを、第２のサーチスペースセットおよび第４のサーチスペースセットのＰＤＣＣＨ候補のモニタをスキップする指示として解釈する。
【０１６５】
しかしながら、この指示は、ＰＤＣＣＨ候補のモニタをスキップすることのみに限定されず、物理ダウンリンク共有チャネル（ＰＤＳＣＨ）受信または物理アップリンク共有チャネル（ＰＵＳＣＨ）送信をスキップする指示を伝えることにも適用可能である。
【０１６６】
詳細には、最初の３ビット「１０１」は、周波数領域＃１における第２のサーチスペースセットおよび第４のサーチスペースセットのモニタをスキップするように移動端末１１０に伝える。さらに、４番目および５番目のビット「１０」は、周波数領域＃２におけるデータ受信をスキップするように移動端末１１０に伝える。６番目および７番目のビット「００」は、周波数領域＃３におけるリソースを通じてすべてのシンボルにおける物理ダウンリンク共有チャネル（ＰＤＳＣＨ）送信を受信する準備をするように移動端末１１０に伝える。そして、８番目および９番目のビット「１０」は、周波数領域＃４におけるデータ受信をスキップするように移動端末１１０に伝える。
【０１６７】
さらに認識すべき重要な点として、ＳＦＩ  ＰＤＣＣＨが送信される第１のサーチスペースセットを使用して、ＵＥ固有のＰＤＣＣＨ（例えば、Ｃ−ＲＮＴＩを含むＰＤＣＣＨ）を送信することもできる。この場合、ＵＥが第１のサーチスペースセットを受信するときにダウンリンクデータ割当てまたはアップリンクグラントがすでに利用可能であるようにすることができる。これにより、ＵＥは、ＳＦＩ−ＰＤＣＣＨを処理するとき、同時に、ＵＥ固有のＰＤＣＣＨおよび対応するデータの受信または送信を処理することが可能になる。この意味において、ＤＣＩフォーマット２＿０（ＳＦＩ−ＰＤＣＣＨ）を受信することは、他のＰＤＣＣＨを受信するための前提条件ではない。同じことが、ＳＦＩ−ＰＤＣＣＨが検出されなかった場合にもあてはまる。ＵＥは、ＰＤＣＣＨを検出しなかった場合、ＲＲＣによってＵＥに設定されているすべてのサーチスペースセットをモニタする。
【０１６８】
［特定の実装形態の例２］
次に、図４を参照しながら、上述した３ＧＰＰ  ＮＲ固有の展開シナリオに関連する特定の実装形態の第２の例が与えられる。簡潔さの理由から、図２の上の説明から直接明らかではない詳細のみについて説明する。
【０１６９】
この例では、移動端末１１０が、周波数領域＃１〜周波数領域＃４について、４つの異なるスロットフォーマットの組合せを移動端末１１０に設定するスロットフォーマットコンビネーションＩＥを受信する（図２のステップＳ０３を参照されたい）と仮定する。これは、４つの特定のスロットフォーマットと周波数領域＃１〜周波数領域＃４の各々に対する選択動作において使用することができる４つのインデックス値との間の関連付けが移動端末１１０に提供されることをもたらすことができる。この関連付けは、以下の表４に示されているようにすることができる。
【表４】
2021532623.tif 000020
【０１７０】
重要な点として、これら４つのスロットフォーマットコンビネーションは、２つの連続するスロット（例えばスロット＃ｊおよびスロット＃ｊ＋１）に適用される。言い換えれば、スロットフォーマットコンビネーションは、合計２８シンボルについて、各シンボルがダウンリンクシンボルであるか、アップリンクシンボルであるか、またはフレキシブルシンボルであるかを指定する。また、スロットフォーマットコンビネーションのこの定義では、連続するスロットが異なるスロットフォーマットを有することを妨げる制限は存在しない（２つの連続するスロットについて異なるスロットフォーマットを定義するインデックス「０１」および「１１」を参照されたい）。
【０１７１】
（前に受信された）ＣＯＲＥＳＥＴ  ＩＥおよびサーチスペースＩＥは、第１〜第４のサーチスペースセットが、それぞれ周波数領域＃１〜周波数領域＃４における各スロットの最初の２シンボル（すなわちシンボル＃１〜＃２）に対応するリソースに位置していることを移動端末１１０が認識するように、移動端末１１０を設定する。重要な点として、ＣＯＲＥＳＥＴ  ＩＥは、第１〜第４のサーチスペースセットが別個の各スロットに位置していることを指定する。なぜならば、スケジューリングが実行され、この場合、通知されるスロットフォーマットが２つの連続するスロットに適用されるため、スロットフォーマット（すなわちＤＣＩフォーマット２＿０）が１つおきのスロットで送信されるからである。
【０１７２】
次に、基地局１６０がリッスンビフォアトーク動作を実行し、それに応じて周波数領域＃１〜周波数領域＃４の各々に対する空きチャネル判定を実行する（図２のステップＳ０４を参照されたい）と仮定する。この例においても、基地局１６０によって実行される空きチャネル判定（ＣＣＡ）は、第１の周波数領域および第３の周波数領域に対して成功し、第２の周波数領域および第４の周波数領域に対して失敗すると仮定する。
【０１７３】
移動端末１１０は、指定される第１の周波数領域（周波数領域＃１）に位置する第１のサーチスペースセットの物理ダウンリンク制御チャネル（ＰＤＣＣＨ）候補をモニタする（図２のステップＳ０５を参照されたい）。第１のサーチスペースセットは、スロットフォーマットインジケータ（ＳＦＩ）無線ネットワーク一時識別子（ＲＮＴＩ）によってスクランブルされたＤＣＩを運ぶタイプ３  ＰＤＣＣＨ共通サーチスペースセットである。したがって、移動端末１１０は、ＤＣＩフォーマット２＿０を有するＤＣＩを対象に、第１のサーチスペースセットをモニタする。ただし、この動作が必要であるのは１つおきのスロットのみである。
【０１７４】
次に、移動端末１１０は、ＰＤＣＣＨ候補のモニタをスキップするか否かの指示を含むダウンリンク制御情報（ＤＣＩ）を受信する（図２のステップＳ０６を参照されたい）。具体的には、受信されるＤＣＩは、このＤＣＩが、使用されるスロットフォーマットを移動端末１１０に通知するために基地局１６０によって使用されることを意味するＤＣＩフォーマット２＿０を有する。基地局１６０は、特定のスロットフォーマットを移動端末１１０に通知することを通じて、ＰＤＣＣＨ候補のモニタをスキップするか否かの指示を（さらに）送信する。
【０１７５】
この例では、受信されるＤＣＩは、周波数領域＃１〜周波数領域＃４の各々についてのスロットフォーマットインジケータ（ＳＦＩ）インデックスのシーケンスを含み、この場合、周波数領域＃１についてのＳＦＩインデックスは「００」に対応し、周波数領域＃２についてのＳＦＩインデックスは「０１」に対応し、周波数領域＃３についてのＳＦＩインデックスは「００」に対応し、周波数領域＃４についてのＳＦＩインデックスは「０１」に対応する。次に、移動端末１１０は、これら４つのＳＦＩインデックスを使用して、それぞれの４つの周波数領域の各々についてのスロットフォーマットを決定する。この決定は、周波数領域＃１〜周波数領域＃４について表４のそれぞれのスロットフォーマットコンビネーションを参照する。
【０１７６】
したがって、周波数領域＃１（および周波数領域＃３）についてのＳＦＩインデックス「００」は、スロットフォーマット「ＤＤ  ＦＦＦＦＦＦ  ＦＦＦＦＦＦ      ＤＤ  ＦＦＦＦＦＦ  ＦＦＦＦＦＦ」を参照する。これは、周波数領域＃１（および周波数領域＃３）におけるシンボル＃１〜＃２およびシンボル＃１５〜＃１６がダウンリンクシンボルであるのに対し、残りのシンボルがフレキシブルシンボルであることを意味する。同様に、周波数領域＃２および周波数領域＃４についてのＳＦＩインデックス「０１」は、スロットフォーマット「ＦＦ  ＦＦＦＦＦＦ  ＦＦＦＦＦＦ      ＦＦ  ＦＦＦＦＦＦ  ＦＦＦＦＦＦ」を参照する。これは、周波数領域＃２および周波数領域＃４におけるシンボル＃１〜＃２およびシンボル＃１５〜＃１６を含めて、すべてのシンボルがフレキシブルシンボルであることを意味する。
【０１７７】
すると、移動端末１１０は、第２のサーチスペースセットおよび第４のサーチスペースセットにおけるＰＤＣＣＨ候補の設定されている位置（すなわちシンボル＃１〜＃２およびシンボル＃１５〜＃１６）と、受信されたＤＣＩによって示される、第２の周波数領域＃２および第４の周波数領域＃４のスロットフォーマットと、の間の相違をただちに識別する。
【０１７８】
第２のサーチスペースセットおよび第４のサーチスペースセットの設定されている位置は、周波数領域＃２および周波数領域＃４における２つの連続するスロットのシンボル＃１〜＃２およびシンボル＃１５〜＃１６であるため、移動端末１１０は、これらのシンボルがダウンリンクシンボルとして示されていることを予測する。しかしながら、受信されたＤＣＩは、これらのシンボルをフレキシブルシンボルとして示している。言い換えれば、サーチスペースセットの設定と周波数領域＃２および周波数領域＃４についてのスロットフォーマットの通知との間に相違がある。
【０１７９】
ここで、認識するべき重要な点として、基地局１６０は、特定のサーチスペースセットのモニタをスキップするか否かの指示を、この相違を利用して移動端末１１０に送信する。この例においては、受信されるＤＣＩは、第２のサーチスペースセットおよび第４のサーチスペースセットが設定されている位置にフレキシブルシンボル（すなわち非ダウンリンクシンボル）を有するスロットフォーマットを指定している。したがって、移動端末１１０は、このことを、第２のサーチスペースセットおよび第４のサーチスペースセットのＰＤＣＣＨ候補のモニタをスキップする指示として解釈する。
【０１８０】
しかしながら、この指示は、ＰＤＣＣＨ候補のモニタをスキップすることのみに限定されず、物理ダウンリンク共有チャネル（ＰＤＳＣＨ）受信または物理アップリンク共有チャネル（ＰＵＳＣＨ）送信をスキップする指示を伝えることにも適用可能である。
【０１８１】
詳細には、最初の２ビット「００」は、両方の連続するスロットの周波数領域＃２および周波数領域＃４における第２のサーチスペースセットおよび第４のサーチスペースセットのモニタをスキップするように移動端末１１０に伝える。さらに、３番目および４番目のビット「０１」は、周波数領域＃２におけるデータ受信をスキップするように移動端末１１０に伝える。５番目および６番目のビット「００」は、周波数領域＃３における第３のサーチスペースセットをモニタし、周波数領域＃３におけるリソースを通じて後続のシンボルにおいて可能な場合にＰＤＳＣＨ送信を受信するように、移動端末１１０に伝える。そして、７番目および８番目のビット「００」は、周波数領域＃４におけるデータ受信をスキップするように移動端末１１０に伝える。
【０１８２】
上の例では、簡潔さのため、ＤＣＩフォーマット２＿０（ＳＦＩ−ＰＤＣＣＨ）が第１のサーチスペースセットにおいてのみ送信されると仮定した。しかしながら、複数のサーチスペースセットにおいてＳＦＩ−ＰＤＣＣＨをモニタするようにＵＥを設定することができ、その場合、ｇＮＢが、それら複数のサーチスペースセットにおいてＳＦＩ−ＰＤＣＣＨを送信することを理解されたい。このような場合、ＣＣＡを通じてＳＦＩ−ＰＤＣＣＨを取得する機会が増えるが、ＵＥ側においてＳＦＩ−ＰＤＣＣＨを復号する処理量が増大する。複数のＳＦＩ−ＰＤＣＣＨが送信される場合、ＵＥは、異なる周波数領域において送信されるこれらＳＦＩ−ＰＤＣＣＨが同じであることを予期する。この場合、ＵＥは、複数のＳＦＩ−ＰＤＣＣＨのうちの１つが復号される限りは、他のＳＦＩ−ＰＤＣＣＨの受信をスキップすることができる。これに代えて、異なる周波数領域においてＵＥが同じＳＦＩ−ＰＤＣＣＨを予期するのかまたは異なるＳＦＩ−ＰＤＣＣＨを予期するのかを、例えばスロットフォーマットコンビネーション設定の中でＵＥに知らせる。この場合、ＵＥは、同じであるように設定されているＳＦＩ−ＰＤＣＣＨの残りをスキップすることができる。
【０１８３】
［特定の実装形態の例３］
次に、図５を参照しながら、上述した３ＧＰＰ  ＮＲ固有の展開シナリオに関連する特定の実装形態の第３の例が与えられる。簡潔さの理由から、図２の上の説明から直接明らかではない詳細のみについて説明する。
【０１８４】
この例では、移動端末１１０が、周波数領域＃１〜周波数領域＃４について、８つの異なるスロットフォーマットの組合せを移動端末１１０に設定するスロットフォーマットコンビネーションＩＥを受信する（図２のステップＳ０３を参照されたい）と仮定する。これは、８つの特定のスロットフォーマットと周波数領域＃１〜周波数領域＃４の各々に対する選択動作において使用することができる８つのインデックス値との間の関連付けが移動端末１１０に提供されることをもたらすことができる。この関連付けは、以下の表５に示されているようにすることができる（３つのインデックスは将来的な使用のために予約されている）。
【表５】
2021532623.tif 000021
【０１８５】
（前に受信された）ＣＯＲＥＳＥＴ  ＩＥおよびサーチスペースＩＥは、第１のサーチスペースセットおよび第３のサーチスペースセットが、それぞれ周波数領域＃１および周波数領域＃３におけるスロットの最初の２シンボル（すなわちシンボル＃１〜＃２）に対応するリソースに位置していることを移動端末１１０が認識するように、移動端末１１０を設定する。同様に、移動端末１１０は、第２のサーチスペースセットおよび第４のサーチスペースセットが、それぞれ周波数領域＃２および周波数領域＃４におけるスロットの２番目および３番目のシンボル（すなわちシンボル＃２〜＃３）に対応するリソースに位置していることを認識するように設定される。
【０１８６】
言い換えれば、この設定では、第１のサーチスペースセットと第２のサーチスペースセット、および、第３のサーチスペースセットと第４のサーチスペースセットが、それぞれの周波数領域＃１〜周波数領域＃４における時間ドメインのそれらの位置に関して、互いから１シンボルだけオフセットしている。
【０１８７】
次に、基地局１６０がリッスンビフォアトーク動作を実行し、それに応じて周波数領域＃１〜周波数領域＃４の各々に対する空きチャネル判定を実行する（図２のステップＳ０４を参照されたい）と仮定する。この例においても、基地局１６０によって実行される空きチャネル判定（ＣＣＡ）は、第１の周波数領域および第３の周波数領域に対して成功し、第２の周波数領域および第４の周波数領域に対して失敗すると仮定する。
【０１８８】
移動端末１１０は、指定される第１の周波数領域（周波数領域＃１）に位置する第１のサーチスペースセットの物理ダウンリンク制御チャネル（ＰＤＣＣＨ）候補をモニタする（図２のステップＳ０５を参照されたい）。第１のサーチスペースセットは、スロットフォーマットインジケータ（ＳＦＩ）無線ネットワーク一時識別子（ＲＮＴＩ）によってスクランブルされたＤＣＩを運ぶタイプ３  ＰＤＣＣＨ共通サーチスペースセットである。したがって、移動端末１１０は、ＤＣＩフォーマット２＿０を有するＤＣＩを対象に、第１のサーチスペースセットをモニタする。
【０１８９】
次に、移動端末１１０は、ＰＤＣＣＨ候補のモニタをスキップするか否かの指示を含むダウンリンク制御情報（ＤＣＩ）を受信する（図２のステップＳ０６を参照されたい）。具体的には、受信されるＤＣＩは、このＤＣＩが、使用されるスロットフォーマットを移動端末１１０に通知するために基地局１６０によって使用されることを意味するＤＣＩフォーマット２＿０を有する。基地局１６０は、特定のスロットフォーマットを移動端末１１０に通知することを通じて、ＰＤＣＣＨ候補のモニタをスキップするか否かの指示を（さらに）送信する。
【０１９０】
この例では、受信されるＤＣＩは、周波数領域＃１〜周波数領域＃４の各々についてのスロットフォーマットインジケータ（ＳＦＩ）インデックスのシーケンスを含み、この場合、周波数領域＃１についてのＳＦＩインデックスは「０１０」に対応し、周波数領域＃２についてのＳＦＩインデックスは「１００」に対応し、周波数領域＃３についてのＳＦＩインデックスは「０１０」に対応し、周波数領域＃４についてのＳＦＩインデックスは「１００」に対応する。次に、移動端末１１０は、これら４つのＳＦＩインデックスを使用して、それぞれの４つの周波数領域の各々についてのスロットフォーマットを決定する。この決定は、周波数領域＃１〜周波数領域＃４について表５のそれぞれのスロットフォーマットコンビネーションを参照する。
【０１９１】
したがって、周波数領域＃１（および周波数領域＃３）についてのＳＦＩインデックス「０１０」は、スロットフォーマット「ＤＤ  ＦＦＦＦＦＦ  ＦＦＦＦＦＦ」を参照する。これは、周波数領域＃１（および周波数領域＃３）におけるシンボル＃１〜＃２がダウンリンクシンボルであるのに対し、残りのシンボルがフレキシブルシンボルであることを意味する。同様に、周波数領域＃２および周波数領域＃４についてのＳＦＩインデックス「１００」は、スロットフォーマット「ＦＦ  ＦＦＦＦＦＦ  ＦＦＦＦＦＦ」を参照する。これは、周波数領域＃２および周波数領域＃４におけるシンボル＃２〜＃３を含めて、すべてのシンボルがフレキシブルシンボルであることを意味する。
【０１９２】
すると、移動端末１１０は、第２のサーチスペースセットおよび第４のサーチスペースセットにおけるＰＤＣＣＨ候補の設定されている位置（すなわちシンボル＃２〜＃３）と、受信されたＤＣＩによって示される、第２の周波数領域＃２および第４の周波数領域＃４についてのスロットフォーマットと、の間の相違をただちに識別する。
【０１９３】
第２のサーチスペースセットおよび第４のサーチスペースセットの設定されている位置が、周波数領域＃２および周波数領域＃４におけるスロットのシンボル＃２〜＃３であるため、移動端末１１０は、これらのシンボルがダウンリンクシンボルとして示されていると予測する。しかしながら、受信されたＤＣＩは、これらのシンボルをフレキシブルシンボルとして示している。言い換えれば、サーチスペースセットの設定と周波数領域＃２および周波数領域＃４についてのスロットフォーマットの通知との間に相違がある。
【０１９４】
ここで、認識するべき重要な点として、基地局１６０は、特定のサーチスペースセットのモニタをスキップするか否かの指示を、この相違を利用して移動端末１１０に送信する。この例においては、受信されるＤＣＩは、第２のサーチスペースセットおよび第４のサーチスペースセットが設定されている位置にフレキシブルシンボル（すなわち非ダウンリンクシンボル）を有するスロットフォーマットを指定している。したがって、移動端末１１０は、このことを、第２のサーチスペースセットおよび第４のサーチスペースセットのＰＤＣＣＨ候補のモニタをスキップする指示として解釈する。
【０１９５】
しかしながら、この指示は、ＰＤＣＣＨ候補のモニタをスキップすることのみに限定されず、物理ダウンリンク共有チャネル（ＰＤＳＣＨ）受信または物理アップリンク共有チャネル（ＰＵＳＣＨ）送信をスキップする指示を伝えることにも適用可能である。
【０１９６】
詳細には、最初の３ビット「０１０」は、周波数領域＃２および周波数領域＃４における第２のサーチスペースセットおよび第４のサーチスペースセットのモニタをスキップするように移動端末１１０に伝える。さらに、４番目〜６番目のビット「１００」は、周波数領域＃２におけるデータ受信をスキップするように移動端末１１０に伝える。７番目〜９番目のビット「０１０」は、周波数領域＃３における第３のサーチスペースセットをモニタし、周波数領域＃３におけるリソースを通じて後続のシンボルにおけるＰＤＳＣＨ送信を可能な場合に受信するように移動端末１１０に伝える。そして、１０番目〜１２番目のビット「１００」は、周波数領域＃４におけるデータ受信をスキップするように移動端末１１０に伝える。
【０１９７】
この第３の例においては、例えば周波数領域＃３における第３のサーチスペースセット（ＳＳｓ＃３）に続いて、ＵＥがモニタする必要がある例えば第５のサーチスペースセットが存在する場合、スロットフォーマット「０００」を使用することができることは言うまでもない。また、移動端末が周波数領域＃２についての「０１０」の指示を受信する場合、このことは、上で述べたオーバーラップに相当する。この場合、（１）第２のサーチスペースセット（ＳＳｓ＃２）におけるすべてのＰＤＣＣＨ候補をスキップするように、移動端末に指定することができる、または、（２）スロットの３番目のシンボルにおける（ＳＳｓ＃２における）ＰＤＣＣＨ候補のみをスキップするが、スロットの２番目のシンボルに位置する（ＳＳｓ＃２における）ＰＤＣＣＨ候補を依然としてモニタするように、移動端末に指定することができる。
【０１９８】
本開示は、ソフトウェアによって、ハードウェアによって、またはハードウェアと協働するソフトウェアによって、実施することができる。上述した各実施形態の説明において使用される各機能ブロックは、その一部または全体を、集積回路などのＬＳＩによって実施することができ、各実施形態において説明した各プロセスは、その一部または全体を、同じＬＳＩまたはＬＳＩの組合せによって制御することができる。ＬＳＩは、チップとして個別に形成する、または、機能ブロックの一部またはすべてが含まれるように１個のチップを形成することができる。ＬＳＩは、自身に結合されたデータ入出力部を含むことができる。ＬＳＩは、集積度の違いに応じて、ＩＣ、システムＬＳＩ、スーパーＬＳＩ、またはウルトラＬＳＩとも称される。
【０１９９】
しかしながら、集積回路を実施する技術は、ＬＳＩに限定されず、専用回路、汎用プロセッサ、または専用プロセッサを使用することによって実施することができる。さらには、ＬＳＩの製造後にプログラムすることができるＦＰＧＡ（フィールドプログラマブルゲートアレイ）や、ＬＳＩ内部に配置されている回路セルの接続および設定を再設定できるリコンフィギャラブル・プロセッサを使用することもできる。本開示は、デジタル処理またはアナログ処理として実施することができる。半導体技術または別の派生技術が進歩する結果として、ＬＳＩが将来の集積回路技術に置き換わる場合、その将来の集積回路技術を使用して機能ブロックを集積化することができる。バイオテクノロジを適用することもできる。
【０２００】
第１の態様によれば、移動端末であって、複数の周波数領域に分割されるキャリア帯域幅を有するアンライセンス周波数帯における広帯域動作のためのセルが設定されている基地局を備えている無線通信システムにおいて、ダウンリンク受信またはアップリンク送信を実行する移動端末が開示される。
本移動端末は、プロセッサおよび送受信機を備えている。プロセッサは、動作中、複数の周波数領域のうちの指定される第１の周波数領域に位置する第１のサーチスペースセットの物理ダウンリンク制御チャネル（ＰＤＣＣＨ）候補をモニタする。
送受信機は、動作中、指定される第１の周波数領域の第１のサーチスペースセットにおいて送信されたダウンリンク制御情報（ＤＣＩ）を受信し、受信されたＤＣＩは、複数の周波数領域のうちの少なくとも１つの第２の周波数領域に関連付けられている少なくとも１つの第２のサーチスペースセットにおけるいくつかの特定のＰＤＣＣＨ候補またはすべてのＰＤＣＣＨ候補のモニタを移動端末がスキップするか否かの指示を含む。
受信されたＤＣＩの中の指示が、少なくとも１つの第２のサーチスペースセットにおける特定のＰＤＣＣＨ候補またはすべてのＰＤＣＣＨ候補のモニタをスキップすることを示していない場合にのみ、プロセッサは、動作中、ダウンリンク受信用のリソースを割り当てているダウンリンク割当てまたはアップリンク送信用のリソースを割り当てているアップリンクグラントを含むＤＣＩを受信するために、少なくとも１つの第２の周波数領域に関連付けられている特定のＰＤＣＣＨ候補またはすべてのＰＤＣＣＨ候補を追加的にモニタする。
【０２０１】
第１の態様の移動端末と組み合わされる第２の態様によれば、指定される第１の周波数領域は、同期信号および物理報知チャネルブロック（ＳＳＢ）、セル定義同期信号および物理報知チャネルブロック（セル定義ＳＳＢ）、無線リソース管理（ＲＲＭ）用の参照信号、無線リンクモニタ（ＲＬＭ）用の参照信号、およびハイブリッド自動再送要求の肯定応答（ＨＡＲＱ−ＡＣＫ）のうちの少なくとも１つを運ぶ。
【０２０２】
第１の態様または第２の態様の移動端末と組み合わされる第３の態様によれば、複数の周波数領域のうちの少なくとも指定される第１の周波数領域は、事前定義されている帯域幅、好ましくは２０ＭＨｚ、を有する。
【０２０３】
第１の態様から第３の態様の移動端末と組み合わされる第４の態様によれば、第１のサーチスペースセットは、共通サーチスペースセットであり、オプションとして、第１のサーチスペースセットは、タイプ３  ＰＤＣＣＨ共通サーチスペースセットであり、さらなるオプションとして、第１のサーチスペースセットは、スロットフォーマットインジケータ（ＳＦＩ）無線ネットワーク一時識別子（ＲＮＴＩ）によってスクランブルされたＤＣＩを運ぶ。
【０２０４】
第１の態様から第４の態様の移動端末と組み合わされる第５の態様によれば、第１のサーチスペースセットは、移動端末の制御リソースセット（ＣＯＲＥＳＥＴ）に従って周波数ドメインにおいて設定されているリソースに位置しており、ＣＯＲＥＳＥＴは、無線リソース制御（ＲＲＣ）シグナリングを介して、オプションとして、制御リソースセットを定義するＲＲＣ情報要素（ＩＥ）を介して、さらなるオプションとして、ＣＯＲＥＳＥＴが設定されているリソースに完全に含まれる６つのリソースブロックのグループを定義するｆｒｅｑｕｅｎｃｙＤｏｍａｉｎＲｅｓｏｕｒｃｅｓフィールドを含むＲＲＣ  ＣｏｎｔｒｏｌＲｅｓｏｕｒｃｅＳｅｔ情報要素（ＩＥ）を介して、移動端末に対して定義される。
【０２０５】
第５の態様の移動端末と組み合わされる第６の態様によれば、ＣＯＲＥＳＥＴが設定されているリソースは、周波数ドメインにおいて、少なくとも１つの周波数領域に対応しており、オプションとして、ＣＯＲＥＳＥＴが設定されているリソースは、周波数ドメインにおいて、ただ１つの周波数領域に対応している。
【０２０６】
第１の態様から第６の態様の移動端末と組み合わされる第７の態様によれば、第１のサーチスペースセットは、無線リソース制御（ＲＲＣ）シグナリングを介して、オプションとして、ＰＤＣＣＨ候補をモニタする位置を含むサーチスペースを定義するＲＲＣ情報要素（ＩＥ）を介して、さらなるオプションとして、スロット内のＰＤＣＣＨモニタの対象のシンボルを定義するｍｏｎｉｔｏｒｉｎｇＳｙｍｂｏｌｓＷｉｔｈｉｎＳｌｏｔフィールドを含むＲＲＣ  ＳｅａｒｃｈＳｐａｃｅ情報要素（ＩＥ）を介して、時間ドメインにおいて設定されているリソースに位置している。
【０２０７】
第１の態様から第７の態様の移動端末と組み合わされる第８の態様によれば、少なくとも１つの第２のサーチスペースセットの各々は、少なくとも１つの第２の周波数領域のうちの１つに関連付けられている。
【０２０８】
第１の態様から第８の態様の移動端末と組み合わされる第９の態様によれば、送受信機は、動作中、複数の周波数領域のうちの少なくとも１つ、好ましくは複数の周波数領域のすべて、について、複数のスロットフォーマットを移動端末に事前設定している設定をさらに受信する。
【０２０９】
第９の態様の移動端末と組み合わされる第１０の態様によれば、この設定は、無線リソース制御（ＲＲＣ）シグナリングを介して、オプションとして、複数の周波数領域のうちの少なくとも１つ、または、好ましくは複数の周波数領域のすべて、について、スロットフォーマットを指定する少なくとも１つのＲＲＣ情報要素（ＩＥ）を介して、さらなるオプションとして、少なくとも１つのＲＲＣ  ＳｌｏｔＦｏｒｍａｔＣｏｍｂｉｎａｔｉｏｎｓ情報要素（ＩＥ）であって、少なくとも１つのＲＲＣ  ＳｌｏｔＦｏｒｍａｔＣｏｍｂｉｎａｔｉｏｎｓ  ＩＥの各々は、複数の周波数領域のそれぞれの１つについてスロットフォーマットを別個に事前設定している、少なくとも１つのＲＲＣ  ＳｌｏｔＦｏｒｍａｔＣｏｍｂｉｎａｔｉｏｎｓ  ＩＥを介して、受信される。
【０２１０】
第１の態様から第１０の態様の移動端末と組み合わされる第１１の態様によれば、受信されるＤＣＩは、複数の周波数領域の各々について別個のスロットフォーマットインジケータ（ＳＦＩ）を含む。
【０２１１】
第１の態様から第１１の態様の移動端末と組み合わされる第１２の態様によれば、受信されるＤＣＩは、ＤＣＩフォーマット２＿０であり、オプションとして、受信されるＤＣＩフォーマット２＿０のＤＣＩは、複数の周波数領域の各々に対して異なって解釈されるスロットフォーマットインジケータ（ＳＦＩ）インデックス値のシーケンスを含み、さらなるオプションとして、スロットフォーマットインジケータ（ＳＦＩ）インデックス値のシーケンスの各々は、複数の周波数領域のそれぞれの１つについて別個に事前設定されているスロットフォーマットのセットに従って、解釈される。
【０２１２】
第１２の態様の移動端末と組み合わされる第１３の態様によれば、事前設定されているスロットフォーマットのうち、インデックスで示された１つのスロットフォーマットが、少なくとも１つの第２のサーチスペースセットが位置するリソースに対して非ダウンリンクシンボルを指定している場合、プロセッサは、動作中、受信されたＤＣＩを、少なくとも１つの第２の周波数領域のそれぞれの１つに関連付けられている少なくとも１つの第２のサーチスペースセットにおけるいくつかの特定のＰＤＣＣＨ候補またはすべてのＰＤＣＣＨ候補のモニタを移動端末がスキップする指示を含むものとして解釈し、好ましくは、非ダウンリンクシンボルは、アップリンクシンボルまたはフレキシブルシンボルのいずれかである。
【０２１３】
第１の態様から第１３の態様の移動端末と組み合わされる第１４の態様によれば、モニタをスキップすることができる特定のＰＤＣＣＨ候補は、スロット内の同じシンボルまたは同じシンボルセットを時間ドメインにおいて共有するリソースに位置している。
【０２１４】
第１の態様から第１４の態様の移動端末と組み合わされる第１５の態様によれば、複数の周波数領域は、異なるリッスンビフォアトーク範囲識別子、異なる移動端末固有周波数領域識別子、異なる制御リソースセット（ＣＯＲＥＳＥＴ）識別子、または異なる帯域幅部分（ＢＷＰ）インデックスを介して識別される。
【０２１５】
第１６の態様によれば、複数の周波数領域に分割されるキャリア帯域幅を有するアンライセンス周波数帯における広帯域動作のためのセルが設定されている基地局を備えている無線通信システムにおいて、移動端末がダウンリンク受信またはアップリンク送信を実行する方法が開示される。
本方法は、複数の周波数領域のうちの指定される第１の周波数領域に位置する第１のサーチスペースセットの物理ダウンリンク制御チャネル（ＰＤＣＣＨ）をモニタするステップと、指定される第１の周波数領域の第１のサーチスペースセットにおいて送信されたダウンリンク制御情報（ＤＣＩ）を受信するステップと、を含み、受信されたＤＣＩは、複数の周波数領域のうちの少なくとも１つの第２の周波数領域に関連付けられている少なくとも１つの第２のサーチスペースセットにおけるいくつかの特定のＰＤＣＣＨ候補またはすべてのＰＤＣＣＨ候補のモニタを移動端末がスキップするか否かの指示を含む。
受信されたＤＣＩの中の指示が、少なくとも１つの第２のサーチスペースセットにおける特定のＰＤＣＣＨ候補またはすべてのＰＤＣＣＨ候補のモニタをスキップすることを示していない場合にのみ、本方法は、ダウンリンク受信用のリソースを割り当てているダウンリンク割当てまたはアップリンク送信用のリソースを割り当てているアップリンクグラントを含むＤＣＩを受信するために、少なくとも１つの第２の周波数領域に関連付けられている特定のＰＤＣＣＨ候補またはすべてのＰＤＣＣＨ候補をモニタするステップを追加的に実行するステップを含む。
【０２１６】
第１６の態様の方法と組み合わされる第１７の態様によれば、指定される第１の周波数領域は、同期信号および物理報知チャネルブロック（ＳＳＢ）、セル定義同期信号および物理報知チャネルブロック（セル定義ＳＳＢ）、無線リソース管理（ＲＲＭ）用の参照信号、無線リンクモニタ（ＲＬＭ）用の参照信号、およびハイブリッド自動再送要求の肯定応答（ＨＡＲＱ−ＡＣＫ）のうちの少なくとも１つを運ぶ。
【０２１７】
第１６の態様または第１７の態様の方法と組み合わされる第１８の態様によれば、複数の周波数領域のうちの少なくとも指定される第１の周波数領域は、事前定義されている帯域幅、好ましくは２０ＭＨｚ、を有する。
【０２１８】
第１６の態様から第１８の態様の方法と組み合わされる第１９の態様によれば、第１のサーチスペースセットは、共通サーチスペースセットであり、オプションとして、第１のサーチスペースセットは、タイプ３  ＰＤＣＣＨ共通サーチスペースセットであり、さらなるオプションとして、第１のサーチスペースセットは、スロットフォーマットインジケータ（ＳＦＩ）無線ネットワーク一時識別子（ＲＮＴＩ）によってスクランブルされたＤＣＩを運ぶ。
【０２１９】
第１６の態様から第１９の態様の方法と組み合わされる第２０の態様によれば、第１のサーチスペースセットは、移動端末の制御リソースセット（ＣＯＲＥＳＥＴ）に従って周波数ドメインにおいて設定されているリソースに位置しており、ＣＯＲＥＳＥＴは、無線リソース制御（ＲＲＣ）シグナリングを介して、オプションとして、制御リソースセットを定義するＲＲＣ情報要素（ＩＥ）を介して、さらなるオプションとして、ＣＯＲＥＳＥＴが設定されているリソースに完全に含まれる６つのリソースブロックのグループを定義するｆｒｅｑｕｅｎｃｙＤｏｍａｉｎＲｅｓｏｕｒｃｅｓフィールドを含むＲＲＣ  ＣｏｎｔｒｏｌＲｅｓｏｕｒｃｅＳｅｔ情報要素（ＩＥ）を介して、移動端末に対して定義される。
【０２２０】
第２０の態様の方法と組み合わされる第２１の態様によれば、ＣＯＲＥＳＥＴが設定されているリソースは、周波数ドメインにおいて、少なくとも１つの周波数領域に対応しており、オプションとして、ＣＯＲＥＳＥＴが設定されているリソースは、周波数ドメインにおいて、ただ１つの周波数領域に対応している。
【０２２１】
第１６の態様から第２１の態様の方法と組み合わされる第２２の態様によれば、第１のサーチスペースセットは、無線リソース制御（ＲＲＣ）シグナリングを介して、オプションとして、ＰＤＣＣＨ候補をモニタする位置を含むサーチスペースを定義するＲＲＣ情報要素（ＩＥ）を介して、さらなるオプションとして、スロット内のＰＤＣＣＨモニタの対象のシンボルを定義するｍｏｎｉｔｏｒｉｎｇＳｙｍｂｏｌｓＷｉｔｈｉｎＳｌｏｔフィールドを含むＲＲＣ  ＳｅａｒｃｈＳｐａｃｅ情報要素（ＩＥ）を介して、時間ドメインにおいて設定されているリソースに位置している。
【０２２２】
第１６の態様から第２２の態様の方法と組み合わされる第２３の態様によれば、少なくとも１つの第２のサーチスペースセットの各々は、少なくとも１つの第２の周波数領域のうちの１つに関連付けられている。
【０２２３】
第１６の態様から第２３の態様の方法と組み合わされる第２４の態様によれば、本方法は、複数の周波数領域のうちの少なくとも１つ、好ましくは複数の周波数領域のすべて、について、複数のスロットフォーマットを移動端末に事前設定している設定をさらに受信するステップを含む。
【０２２４】
第２４の態様の方法と組み合わされる第２５の態様によれば、この設定は、無線リソース制御（ＲＲＣ）シグナリングを介して、オプションとして、複数の周波数領域のうちの少なくとも１つ、または、好ましくは複数の周波数領域のすべて、について、スロットフォーマットを指定する少なくとも１つのＲＲＣ情報要素（ＩＥ）を介して、さらなるオプションとして、少なくとも１つのＲＲＣ  ＳｌｏｔＦｏｒｍａｔＣｏｍｂｉｎａｔｉｏｎｓ情報要素（ＩＥ）であって、少なくとも１つのＲＲＣ  ＳｌｏｔＦｏｒｍａｔＣｏｍｂｉｎａｔｉｏｎｓ  ＩＥの各々は、複数の周波数領域のそれぞれの１つについてスロットフォーマットを別個に事前設定している、少なくとも１つのＲＲＣ  ＳｌｏｔＦｏｒｍａｔＣｏｍｂｉｎａｔｉｏｎｓ  ＩＥを介して、受信される。
【０２２５】
第１６の態様から第２５の態様の方法と組み合わされる第２６の態様によれば、受信されるＤＣＩは、複数の周波数領域の各々について別個のスロットフォーマットインジケータ（ＳＦＩ）を含む。
【０２２６】
第１６の態様から第２６の態様の方法と組み合わされる第２７の態様によれば、受信されるＤＣＩは、ＤＣＩフォーマット２＿０であり、オプションとして、受信されるＤＣＩフォーマット２＿０のＤＣＩは、複数の周波数領域の各々に対して異なって解釈されるスロットフォーマットインジケータ（ＳＦＩ）インデックス値のシーケンスを含み、さらなるオプションとして、スロットフォーマットインジケータ（ＳＦＩ）インデックス値のシーケンスの各々は、複数の周波数領域のそれぞれの１つについて別個に事前設定されているスロットフォーマットのセットに従って、解釈される。
【０２２７】
第２７の態様の方法と組み合わされる第２８の態様によれば、事前設定されているスロットフォーマットのうち、インデックスで示された１つのスロットフォーマットが、少なくとも１つの第２のサーチスペースセットが位置するリソースに対して非ダウンリンクシンボルを指定している場合、本方法は、受信されたＤＣＩを、少なくとも１つの第２の周波数領域のそれぞれの１つに関連付けられている少なくとも１つの第２のサーチスペースセットにおけるいくつかの特定のＰＤＣＣＨ候補またはすべてのＰＤＣＣＨ候補のモニタを移動端末がスキップする指示を含むものとして解釈するステップを含み、好ましくは、非ダウンリンクシンボルは、アップリンクシンボルまたはフレキシブルシンボルのいずれかである。
【０２２８】
第１６の態様から第２８の態様の方法と組み合わされる第２９の態様によれば、モニタをスキップすることができる特定のＰＤＣＣＨ候補は、スロット内の同じシンボルまたは同じシンボルセットを時間ドメインにおいて共有するリソースに位置している。
【０２２９】
第１６の態様から第２９の態様の方法と組み合わされる第３０の態様によれば、複数の周波数領域は、異なるリッスンビフォアトーク範囲識別子、異なる移動端末固有周波数領域識別子、異なる制御リソースセット（ＣＯＲＥＳＥＴ）識別子、または異なる帯域幅部分（ＢＷＰ）インデックスを介して識別される。
【図１】
2021532623.tif 000022
【図２】
2021532623.tif 000023
【図３】
2021532623.tif 000024
【図４】
2021532623.tif 000025
【図５】
2021532623.tif 000026
【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
第１のサーチスペースセットにおいて第１の下り制御情報を受信し、前記第１の下り制御情報は複数の周波数範囲の各々に配置された第２の下り制御情報のモニタをスキップするか否かを指示する制御情報を含む、受信機と、
前記複数の周波数範囲における１つ以上の周波数範囲の１つ以上の第２のサーチスペースセットにおいて前記第２の下り制御情報をモニタする制御回路と、を具備し、
前記１つ以上の周波数範囲は前記制御情報に基づいて決定される、
通信装置。
【請求項２】
前記第１のサーチスペースセットはタイプ３共通サーチスペースである、
請求項１に記載の通信装置。
【請求項３】
前記第１の下り制御情報はスロットフォーマットインジケータ（ＳＦＩ）無線ネットワーク一時識別子（ＲＮＴＩ）に基づいてスクランブルされる、
請求項１に記載の通信装置。
【請求項４】
前記第１の下り制御情報は前記第１のサーチスペースセットの制御リソースセットに配置され、前記制御リソースセットは無線リソース制御（ＲＲＣ）シグナリングによって指示される、
請求項１に記載の通信装置。
【請求項５】
前記１つ以上の周波数範囲を除く周波数範囲における前記第２の下り制御情報のモニタはスキップされる、
請求項１に記載の通信装置。
【請求項６】
第１のサーチスペースセットにおいて第１の下り制御情報を受信し、前記第１の下り制御情報は複数の周波数範囲の各々に配置された第２の下り制御情報のモニタをスキップするか否かを指示する制御情報を含み、
前記複数の周波数範囲における１つ以上の周波数範囲の１つ以上の第２のサーチスペースセットにおいて前記第２の下り制御情報をモニタし、
前記１つ以上の周波数範囲は前記制御情報に基づいて決定される、
通信方法。
【請求項７】
前記第１のサーチスペースセットはタイプ３共通サーチスペースである、
請求項６に記載の通信方法。
【請求項８】
前記第１の下り制御情報はスロットフォーマットインジケータ（ＳＦＩ）無線ネットワーク一時識別子（ＲＮＴＩ）に基づいてスクランブルされる、
請求項６に記載の通信方法。
【請求項９】
前記第１の下り制御情報は前記第１のサーチスペースセットの制御リソースセットに配置され、前記制御リソースセットは無線リソース制御（ＲＲＣ）シグナリングによって指示される、
請求項６に記載の通信方法。
【請求項１０】
前記１つ以上の周波数範囲を除く周波数範囲における前記第２の下り制御情報のモニタはスキップされる、
請求項６に記載の通信方法。
【請求項１１】
第１のサーチスペースセットにおいて第１の下り制御情報を受信し、前記第１の下り制御情報は複数の周波数範囲の各々に配置された第２の下り制御情報のモニタをスキップするか否かを指示する制御情報を含む、処理と、
前記複数の周波数範囲における１つ以上の周波数範囲の１つ以上の第２のサーチスペースセットにおいて前記第２の下り制御情報をモニタする処理と、を制御し、
前記１つ以上の周波数範囲は前記制御情報に基づいて決定される、
集積回路。
【国際調査報告】
2021532623.tif 000027
2021532623.tif 000028
2021532623.tif 000029
2021532623.tif 000030